(57)【要約】ＳＵＰＬベースの位置情報システムを利用したローミング方法及びシステムに関し、本発明の態様により、目的端末の位置情報が要求される場合、前記目的端末と前記目的端末に関連した訪問ネットワーク間にＴＣＰ接続を設定する段階と、前記目的端末又は前記訪問ネットワークのロケーションサーバが前記目的端末と前記目的端末のホームネットワーク間のＴＣＰ接続を設定せずに、前記設定されたＴＣＰ接続により前記目的端末の前記位置情報を取得する段階とを含む。
2008512928.tif 000002
【特許請求の範囲】
【請求項１】
目的端末の位置情報が要求される場合、前記目的端末と該目的端末に関連した訪問ネットワークとの間にＴＣＰ（Ｔｒａｎｓｍｉｓｓｉｏｎ  Ｃｏｎｔｒｏｌ  Ｐｒｏｔｏｃｏｌ）接続を設定する段階と、
前記目的端末又は前記訪問ネットワークにあるロケーションサーバが、前記目的端末と該目的端末のホームネットワークとの間のＴＣＰ接続なしに、前記設定されたＴＣＰ接続により前記目的端末の位置情報を取得する段階と
を含むことを特徴とする目的端末の位置情報取得方法。
【請求項２】
前記目的端末は、ＳＥＴ（ＳＵＰＬ  Ｅｎａｂｌｅｄ  Ｔｅｒｍｉｎａｌ）であり、前記訪問ネットワークにある前記ロケーションサーバは、Ｖ−ＳＬＰ（ｖｉｓｉｔｅｄ  ＳＵＰＬ  ｌｏｃａｔｉｏｎ  ｐｌａｔｆｏｒｍ）であることを特徴とする請求項１に記載の目的端末の位置情報取得方法。
【請求項３】
前記設定段階で、前記目的端末と前記Ｖ−ＳＬＰ間に前記ＴＣＰ接続が設定され、前記取得段階で、前記目的端末と前記ホームネットワークのＨ−ＳＬＰ（ｈｏｍｅ  ＳＵＰＬ  ｌｏｃａｔｉｏｎ  ｐｌａｔｆｏｒｍ）間にはＴＣＰ接続が存在しないことを特徴とする請求項２に記載の目的端末の位置情報取得方法。
【請求項４】
前記設定段階は、
前記Ｈ−ＳＬＰが前記Ｖ−ＳＬＰのＶ−ＳＰＣ（ｖｉｓｉｔｅｄ  ＳＵＰＬ  ｐｏｓｉｔｉｏｎｉｎｇ  ｃｅｎｔｅｒ）のアドレス情報を取得する段階と、
前記取得されたアドレス情報を前記目的端末に伝送する段階と、
前記目的端末が前記取得されたアドレス情報を利用して前記目的端末と前記Ｖ−ＳＰＣ間のＴＣＰ接続を設定する段階とを含むことを特徴とする請求項３に記載の目的端末の位置情報取得方法。
【請求項５】
前記アドレス情報は、前記Ｖ−ＳＰＣのアドレス及びポート番号を含むことを特徴とする請求項４に記載の目的端末の位置情報取得方法。
【請求項６】
前記アドレス情報を取得する段階は、
前記Ｖ−ＳＬＰのＶ−ＳＬＣ（ｖｉｓｉｔｅｄ  ＳＵＰＬ  ｌｏｃａｔｉｏｎ  ｃｅｎｔｅｒ）が前記Ｈ−ＳＬＰからローミング位置要求メッセージを受信する段階と、
前記Ｖ−ＳＬＣと前記Ｖ−ＳＰＣ間の通信により前記Ｖ−ＳＬＰを内部的に初期化する段階と、
前記Ｖ−ＳＬＣが前記ローミング位置要求メッセージに対する応答メッセージを送信する段階とを含むことを特徴とする請求項４に記載の目的端末の位置情報取得方法。
【請求項７】
前記ローミング位置要求メッセージは、前記要求に関する位置測定セッションのＩＤを含み、前記応答メッセージは、前記Ｖ−ＳＰＣのアドレス及びポート番号を含むことを特徴とする請求項６に記載の目的端末の位置情報取得方法。
【請求項８】
前記取得段階は、
前記目的端末又は前記Ｖ−ＳＬＰが、前記目的端末と前記Ｖ−ＳＬＰ間の通信を用いて前記目的端末の前記位置情報を測定する段階を含むことを特徴とする請求項２に記載の目的端末の位置情報取得方法。
【請求項９】
外部エージェントが前記位置情報を要求した場合、前記Ｖ−ＳＬＰが前記測定された位置情報を取得し、前記方法は、
前記Ｖ−ＳＬＰが前記測定された位置情報を取得した後、前記目的端末と前記Ｖ−ＳＬＰ間のＴＣＰ接続を解除する段階をさらに含むことを特徴とする請求項８に記載の目的端末の位置情報取得方法。
【請求項１０】
前記Ｖ−ＳＬＰが前記ホームネットワークで前記外部エージェントに前記測定された位置情報を伝送する段階をさらに含むことを特徴とする請求項９に記載の目的端末の位置情報取得方法。
【請求項１１】
前記目的端末が前記位置情報を要求した場合、前記目的端末が前記測定された位置情報を取得し、前記方法は、
前記目的端末が前記測定された位置情報を取得した後、前記目的端末と前記Ｖ−ＳＬＰ間のＴＣＰ接続を解除する段階をさらに含むことを特徴とする請求項８に記載の目的端末の位置情報取得方法。
【請求項１２】
目的端末が該目的端末のホームロケーションサーバから前記目的端末に関する訪問ロケーションサーバのアドレス情報を含むＳＵＰＬ初期化（ｉｎｉｔｉａｔｅ）メッセージを受信する段階と、
前記受信されたアドレス情報に基づいて前記訪問ロケーションサーバとＴＣＰ接続を設定する段階と、
前記目的端末の位置情報を取得するために前記設定されたＴＣＰ接続により前記訪問ロケーションサーバとセッションを実行する段階と
を含むことを特徴とするＳＥＴの位置情報取得方法。
【請求項１３】
前記ホームロケーションサーバは、前記目的端末のホームネットワークのＨ−ＳＬＰであり、前記訪問ロケーションサーバは、前記目的端末の訪問ネットワークのＶ−ＳＬＰであることを特徴とする請求項１２に記載のＳＥＴの位置情報取得方法。
【請求項１４】
前記実行段階は、
前記目的端末と前記Ｖ−ＳＬＰ間の通信により、前記目的端末又は前記Ｖ−ＳＬＰが前記目的端末の前記位置情報を測定する段階を含むことを特徴とする請求項１３に記載のＳＥＴの位置情報取得方法。
【請求項１５】
前記ＳＵＰＬ初期化メッセージは、前記セッションのＩＤ及び位置追跡方法パラメータ情報をさらに含むことを特徴とする請求項１２に記載のＳＥＴの位置情報取得方法。
【請求項１６】
前記設定段階の後及び前記実行段階の前に、前記実行段階のために前記Ｖ−ＳＬＰをセットアップするために、前記目的端末が前記Ｖ−ＳＬＰに前記セッションのＩＤ及び前記目的端末の性能情報を含む位置測定初期化（ｐｏｓｉｔｉｏｎｉｎｇ  ｃａｌｃｕｌａｔｉｏｎ  ｉｎｉｔｉａｔｅ）メッセージを送信する段階をさらに含むことを特徴とする請求項１３に記載のＳＥＴの位置情報取得方法。
【請求項１７】
前記実行段階の後、前記目的端末と前記Ｖ−ＳＬＰ間のＴＣＰ接続を解除する段階をさらに含むことを特徴とする請求項１３に記載のＳＥＴの位置情報取得方法。
【請求項１８】
前記Ｖ−ＳＬＰは、Ｖ−ＳＬＣ及びＶ−ＳＰＣを含み、前記方法は、
前記受信段階の前に、前記Ｈ−ＳＬＰが前記Ｖ−ＳＬＣにセッションＩＤ及び前記目的端末のＩＤを含むＲＬＰ  ＳＳＲＬＩＲ（ｒｏａｍｉｎｇ  ｌｏｃａｔｉｏｎ  ｐｒｏｔｏｃｏｌ  ｓｔａｎｄａｒｄ  ＳＵＰＬ  ｒｏａｍｉｎｇ  ｌｏｃａｔｉｏｎ  ｒｅｑｕｅｓｔ）メッセージを送信する段階をさらに含むことを特徴とする請求項１３に記載のＳＥＴの位置情報取得方法。
【請求項１９】
前記ＲＬＰ  ＳＳＲＬＩＲメッセージを送信する段階の後、前記Ｖ−ＳＬＣと前記Ｖ−ＳＰＣ間で前記Ｖ−ＳＰＣのアドレス及びポート番号を含む少なくとも１つのメッセージを送受信する段階をさらに含むことを特徴とする請求項１８に記載のＳＥＴの位置情報取得方法。
【請求項２０】
前記送受信段階の後、前記Ｖ−ＳＬＣから前記Ｈ−ＳＬＰにセッションＩＤ、前記Ｖ−ＳＰＣのアドレス、及びポート番号を含むＲＬＰ応答メッセージを送信し、前記ＲＬＰ  ＳＳＲＬＩＲメッセージに応答する段階をさらに含むことを特徴とする請求項１９に記載のＳＥＴの位置情報取得方法。
【請求項２１】
目的端末のホームロケーションサーバとＴＣＰ接続を設定し、前記ＴＣＰ接続により前記目的端末に関する訪問ロケーションサーバのアドレス情報を取得した後、前記ホームロケーションサーバとのＴＣＰ接続を解除する段階と、
前記ホームロケーションサーバとのＴＣＰ接続が解除された後、前記取得されたアドレス情報に基づいて前記訪問ロケーションサーバとＴＣＰ接続を設定し、前記訪問ロケーションサーバとのＴＣＰ接続により前記目的端末の位置情報を取得した後、前記訪問ロケーションサーバとのＴＣＰ接続を解除する段階と
を含むことを特徴とするＳＥＴのためのローミング方法。
【請求項２２】
前記ホームロケーションサーバは、Ｈ−ＳＬＰであり、前記訪問ロケーションサーバは、Ｖ−ＳＬＰであることを特徴とする請求項２１に記載のＳＥＴのためのローミング方法。
【請求項２３】
前記位置情報を取得する段階は、
位置情報を取得するセッションのＩＤと前記目的端末の性能情報を含む位置測定初期化メッセージを前記Ｖ−ＳＬＰに送信する段階を含むことを特徴とする請求項２２に記載のＳＥＴのためのローミング方法。
【請求項２４】
前記位置情報を取得する段階は、
前記目的端末と前記Ｖ−ＳＬＰ間の通信により前記目的端末の前記位置情報を測定する段階をさらに含むことを特徴とする請求項２３に記載のＳＥＴのためのローミング方法。
【請求項２５】
前記目的端末の前記ホームロケーションサーバとのＴＣＰ接続を設定する段階は、
前記目的端末が前記目的端末の位置情報を要求するときに行われることを特徴とする請求項２１に記載のＳＥＴのためのローミング方法。
【請求項２６】
前記Ｖ−ＳＬＰは、Ｖ−ＳＬＣとＶ−ＳＰＣを含み、前記方法は、
セッションＩＤと前記目的端末のＩＤを含むＲＬＰ  ＳＳＲＬＩＲメッセージを前記Ｈ−ＳＬＰから前記Ｖ−ＳＬＣに送信する段階をさらに含むことを特徴とする請求項２２に記載のＳＥＴのためのローミング方法。
【請求項２７】
前記ＲＬＰ  ＳＳＲＬＩＲメッセージを送信する段階の後、前記Ｖ−ＳＬＣとＶ−ＳＰＣと間で前記Ｖ−ＳＰＣのアドレスとポート番号を含む少なくとも１つのメッセージを送受信する段階をさらに含むことを特徴とする請求項２６に記載のＳＥＴのためのローミング方法。
【請求項２８】
前記送受信段階の後、前記Ｖ−ＳＬＣから前記Ｈ−ＳＬＰにセッションＩＤ並びに前記Ｖ−ＳＰＣのアドレス及びポート番号を含むＲＬＰ応答メッセージを送信して前記ＲＬＰ  ＳＳＲＬＩＲメッセージに応答する段階をさらに含むことを特徴とする請求項２７に記載のＳＥＴのためのローミング方法。
【請求項２９】
目的端末と、
前記目的端末に関連したホームネットワークと、
前記目的端末がローミングし、ロケーションサーバを含む訪問ネットワークと
を含み、
前記目的端末の位置情報が要求される場合、前記目的端末と前記訪問ネットワーク間にＴＣＰ接続が設定され、前記目的端末と前記ホームネットワーク間にＴＣＰ接続が設定されずに前記設定されたＴＣＰ接続により前記目的端末又は前記訪問ネットワークの前記ロケーションサーバが前記目的端末の前記位置情報を取得することを特徴とする目的端末の位置情報を取得するためのシステム。
【請求項３０】
前記目的端末は、ＳＥＴ（ＳＵＰＬ  ｅｎａｂｌｅｄ  ｔｅｒｍｉｎａｌ）であり、前記訪問ネットワークの前記ロケーションサーバは、Ｖ−ＳＬＰであり、前記ホームネットワークは、Ｈ−ＳＬＰを含むことを特徴とする請求項２９に記載の目的端末の位置情報を取得するためのシステム。
【請求項３１】
前記Ｈ−ＳＬＰは、前記Ｖ−ＳＬＰのＶ−ＳＰＣのアドレス情報を取得し、前記取得されたアドレス情報を前記目的端末に伝送し、前記目的端末は、前記Ｈ−ＳＬＰから受信した前記アドレス情報を利用して前記Ｖ−ＳＰＣとのＴＣＰ接続を設定することを特徴とする請求項３０に記載の目的端末の位置情報を取得するためのシステム。
【請求項３２】
前記アドレス情報は、前記Ｖ−ＳＰＣのアドレス及びポート番号を含むことを特徴とする請求項３１に記載の目的端末の位置情報を取得するためのシステム。
【請求項３３】
前記Ｈ−ＳＬＰから前記Ｖ−ＳＬＰのＶ−ＳＬＣにローミング位置要求メッセージを送信し、
前記Ｖ−ＳＬＣと前記Ｖ−ＳＰＣ間の通信により前記Ｖ−ＳＬＰを内部的に初期化し、
前記Ｈ−ＳＬＰが前記Ｖ−ＳＬＣから前記ローミング位置要求メッセージに応答する応答メッセージを受信することにより、
前記Ｈ−ＳＬＰが前記Ｖ−ＳＰＣのアドレス情報を取得することを特徴とする請求項３１に記載の目的端末の位置情報を取得するためのシステム。
【請求項３４】
前記ローミング位置要求メッセージは、前記要求に関する位置測定セッションのＩＤを含み、前記応答メッセージは、前記Ｖ−ＳＰＣのアドレス及びポート番号を含むことを特徴とする請求項３３に記載の目的端末の位置情報を取得するためのシステム。
【請求項３５】
前記目的端末又は前記Ｖ−ＳＬＰが、前記目的端末と前記Ｖ−ＳＬＰ間の通信により前記目的端末の前記位置情報を測定することを特徴とする請求項３０に記載の目的端末の位置情報を取得するためのシステム。
【請求項３６】
外部エージェントが前記位置情報を要求する場合、前記Ｖ−ＳＬＰが前記測定された位置情報を取得し、前記Ｖ−ＳＬＰが前記測定された位置情報を取得した後、前記目的端末と前記Ｖ−ＳＬＰ間の前記ＴＣＰ接続が解除されることを特徴とする請求項３５に記載の目的端末の位置情報を取得するためのシステム。
【請求項３７】
前記Ｖ−ＳＬＰは、前記測定された位置情報を前記ホームネットワークで前記外部エージェントに伝送することを特徴とする請求項３６に記載の目的端末の位置情報を取得するためのシステム。
【請求項３８】
前記目的端末が前記位置情報を要求する場合、前記目的端末が前記測定された位置情報を取得し、前記目的端末が前記測定された位置情報を取得した後、前記目的端末と前記Ｖ−ＳＬＰ間の前記ＴＣＰ接続が解除されることを特徴とする請求項３５に記載の目的端末の位置情報を取得するためのシステム。
【請求項３９】
前記端末のホームロケーションサーバから前記端末に関する訪問ロケーションサーバのアドレス情報を含むＳＵＰＬ初期化メッセージを受信し、前記受信されたアドレス情報に基づいて前記訪問ロケーションサーバとのＴＣＰ接続を設定し、前記端末の位置情報を取得するための前記設定されたＴＣＰ接続により前記訪問ロケーションサーバとセッションを行う少なくとも１つのプロセッサを含むことを特徴とするＳＥＴ（ＳＵＰＬ  ｅｎａｂｌｅｄ  ｔｅｒｍｉｎａｌ）。
【請求項４０】
前記ホームロケーションサーバは、前記端末のホームネットワークのＨ−ＳＬＰであり、前記訪問ロケーションサーバは、前記端末の訪問ネットワークのＶ−ＳＬＰであることを特徴とする請求項３９に記載のＳＥＴ。
【請求項４１】
前記セッション中に、前記端末と前記Ｖ−ＳＬＰ間の通信により、前記端末又は前記Ｖ−ＳＬＰが前記端末の前記位置情報を測定することを特徴とする請求項４０に記載のＳＥＴ。
【請求項４２】
前記ＳＵＰＬ初期化メッセージは、前記セッションのＩＤ及び位置追跡方法パラメータ情報をさらに含むことを特徴とする請求項４１に記載のＳＥＴ。
【請求項４３】
前記端末は、前記セッションのための前記Ｖ−ＳＬＰをセットアップするために、前記セッションのＩＤ及び前記端末の性能情報を含む位置測定初期化メッセージを前記Ｖ−ＳＬＰに伝送することを特徴とする請求項４０に記載のＳＥＴ。
【請求項４４】
前記セッション中に前記端末の前記位置情報が取得された後、前記端末が前記Ｖ−ＳＬＰとのＴＣＰ接続を解除することを特徴とする請求項４０に記載のＳＥＴ。
【請求項４５】
前記訪問ロケーションサーバの前記アドレス情報は、前記訪問ロケーションサーバのＩＰアドレス及びポート番号を含むことを特徴とする請求項３９に記載のＳＥＴ。  
【請求項４６】
前記端末のホームロケーションサーバとＴＣＰ接続を設定し、前記ＴＣＰ接続により前記端末に関する訪問ロケーションサーバのアドレス情報を取得し、前記ホームロケーションサーバとのＴＣＰ接続を解除した後、前記取得したアドレス情報に基づいて前記訪問ロケーションサーバとＴＣＰ接続を設定し、前記訪問ロケーションサーバとのＴＣＰ接続により前記端末の位置情報を取得し、前記訪問ロケーションサーバとのＴＣＰ接続を解除する少なくとも１つのプロセッサを含むことを特徴とするＳＥＴ。
【請求項４７】
前記ホームロケーションサーバは、Ｈ−ＳＬＰであり、前記訪問ロケーションサーバは、Ｖ−ＳＬＰであることを特徴とする請求項４６に記載のＳＥＴ。
【請求項４８】
前記少なくとも１つのプロセッサが、位置情報を取得するセッションのＩＤ及び前記端末の性能情報を含む位置測定初期化メッセージを前記Ｖ−ＳＬＰに送信することにより前記位置情報を取得することを特徴とする請求項４７に記載のＳＥＴ。
【請求項４９】
前記少なくとも１つのプロセッサが、前記端末と前記Ｖ−ＳＬＰ間の通信により前記端末の前記位置情報を測定することを特徴とする請求項４８に記載のＳＥＴ。
【請求項５０】
前記端末が端末自身の位置情報を要求する場合、前記少なくとも１つのプロセッサが前記ホームロケーションサーバとのＴＣＰ接続を設定することを特徴とする請求項４６に記載のＳＥＴ。
【請求項５１】
前記訪問ロケーションサーバの前記アドレス情報は、前記訪問ロケーションサーバのＩＰアドレス及びポート番号を含むことを特徴とする請求項４６に記載のＳＥＴ。
【請求項５２】
目的ＳＥＴ、ＳＵＰＬエージェント、Ｒ−ＳＬＰ、前記目的ＳＥＴのホームネットワークのＨ−ＳＬＣ、前記目的ＳＥＴの訪問ネットワークのＶ−ＳＬＣ、及び前記目的ＳＥＴの前記訪問ネットワークのＶ−ＳＰＣを備えたＳＵＰＬベースの位置情報システムにおけるＳＵＰＬローミング方法において、
前記目的ＳＥＴの位置情報を要求するために、前記ＳＵＰＬエージェントがＭＬＰ  ＳＬＩＲ（ｍｏｂｉｌｅ  ｌｏｃａｔｉｏｎ  ｐｒｏｔｏｃｏｌ  ｓｔａｎｄａｒｄ  ｌｏｃａｔｉｏｎ  ｉｍｍｅｄｉａｔｅ  ｒｅｑｕｅｓｔ）メッセージを前記Ｒ−ＳＬＰに送信する段階と、
前記Ｒ−ＳＬＰがＲＬＰ  ＳＲＬＩＲ（ｒｏａｍｉｎｇ  ｌｏｃａｔｉｏｎ  ｐｒｏｔｏｃｏｌ  ＳＵＰＬ  ｒｏａｍｉｎｇ  ｌｏｃａｔｉｏｎ  ｉｍｍｅｄｉａｔｅ  ｒｅｑｕｅｓｔ）メッセージを前記Ｈ−ＳＬＣに送信する段階と、
前記目的ＳＥＴがＳＵＰＬ機能をサポートする否か及び前記目的ＳＥＴがローミングサービス領域に位置するか否かを前記Ｈ−ＳＬＣが確認する段階と、
前記ローミングサービス領域の前記Ｖ−ＳＰＣのアドレス情報を要求するために、前記Ｈ−ＳＬＣがＲＬＰ  ＳＳＲＬＩＲ（ｓｔａｎｄａｒｄ  ＳＵＰＬ  ｒｏａｍｉｎｇ  ｌｏｃａｔｉｏｎ  ｉｍｍｅｄｉａｔｅ  ｒｅｑｕｅｓｔ）メッセージを前記Ｖ−ＳＬＣに送信する段階と、
前記Ｖ−ＳＬＣと前記Ｖ−ＳＰＣ間の通信により内部初期化を行ってＳＵＰＬ  ＰＯＳ手順準備が開始することを前記Ｖ−ＳＰＣに通知し、内部通信により前記Ｖ−ＳＰＣから前記Ｖ−ＳＬＣに前記Ｖ−ＳＰＣのアドレス及びポート番号情報を伝送する段階と、
前記Ｖ−ＳＬＣから前記Ｈ−ＳＬＣに前記ＲＬＰ  ＳＳＲＬＩＲメッセージに応答して前記Ｖ−ＳＰＣの前記アドレス及びポート番号情報を含むＲＬＰ応答メッセージを送信する段階と、
前記Ｈ−ＳＬＣから前記目的ＳＥＴに前記Ｖ−ＳＰＣの前記アドレス及びポート番号情報、並びにセッションＩＤを含むＳＵＰＬ  ＩＮＩＴ（ｉｎｉｔｉａｔｅ）メッセージを送信する段階と、
前記目的ＳＥＴがデータ接続セットアップを行う段階と、
前記目的ＳＥＴと前記Ｖ−ＳＰＣ間の通信接続を設定するために、前記受信されたアドレス及びポート番号情報を利用して前記目的ＳＥＴから前記Ｖ−ＳＰＣにＳＵＰＬ  ＰＯＳ  ＩＮＩＴメッセージを送信する段階と、
前記Ｖ−ＳＰＣと前記Ｖ−ＳＬＣ間の内部通信を行う段階と、
前記目的ＳＥＴと前記Ｖ−ＳＰＣ間に設定された前記通信接続により前記ＳＵＰＬ  ＰＯＳ手順を行うことにより、前記目的ＳＥＴの前記位置情報を測定する段階と、
前記Ｖ−ＳＰＣがＳＵＰＬ  ＥＮＤメッセージを前記目的ＳＥＴに送信することにより、前記目的ＳＥＴと前記Ｖ−ＳＰＣ間の前記通信接続を解除する段階と
を含むことを特徴とするＳＵＰＬベースの位置情報システムにおけるＳＵＰＬローミング方法。
【請求項５３】
前記Ｖ−ＳＰＣが内部通信により前記目的ＳＥＴの前記測定された位置情報を前記Ｖ−ＳＬＣに伝送し、前記Ｖ−ＳＬＣがＲＬＰ  ＳＳＲＰ（ｓｔａｎｄａｒｄ  ＳＵＰＬ  ｒｏａｍｉｎｇ  ｐｏｓｉｔｉｏｎ）メッセージを送信することにより、前記目的ＳＥＴの前記測定された位置情報を前記Ｈ−ＳＬＣに伝送する段階と、
前記Ｈ−ＳＬＣがＲＬＰ  ＳＲＬＩＡ（ｓｔａｎｄａｒｄ  ｒｏａｍｉｎｇ  ｌｏｃａｔｉｏｎ  ｉｍｍｅｄｉａｔｅ  ｒｅｑｕｅｓｔ  ａｎｓｗｅｒ）メッセージを送信することにより、前記目的ＳＥＴの前記測定された位置情報を前記Ｒ−ＳＬＰに伝送する段階と、
前記Ｒ−ＳＬＰがＭＬＰ  ＳＬＩＡ（ＳＵＰＬ  ｌｏｃａｔｉｏｎ  ｉｍｍｅｄｉａｔｅ  ｒｅｑｕｅｓｔ  ａｎｓｗｅｒ）メッセージを送信することにより、前記目的ＳＥＴの前記測定された位置情報を前記ＳＵＰＬエージェントに伝送する段階とをさらに含むことを特徴とする請求項５２に記載のＳＵＰＬベースの位置情報システムにおけるＳＵＰＬローミング方法。
【請求項５４】
目的ＳＥＴ、前記目的ＳＥＴのホームネットワークのＨ−ＳＬＣ、前記目的ＳＥＴの訪問ネットワークのＶ−ＳＬＣ、及び前記目的ＳＥＴの前記訪問ネットワークのＶ−ＳＰＣを備えたＳＵＰＬベースの位置情報システムにおけるＳＵＰＬローミング方法において、
前記目的ＳＥＴがデータセットアップを行う段階と、
前記目的ＳＥＴから前記Ｈ−ＳＬＣにセッションＩＤを含むＳＵＰＬ  ＳＴＡＲＴメッセージを伝送する段階と、
前記Ｈ−ＳＬＣが前記目的ＳＥＴに関するルーティング情報を確認する段階と、
前記Ｖ−ＳＰＣのアドレス情報を要求するために、前記Ｈ−ＳＬＣから前記Ｖ−ＳＬＣにＲＬＰ  ＳＲＬＩＲ（ＳＵＰＬ  ｒｏａｍｉｎｇ  ｌｏｃａｔｉｏｎ  ｉｍｍｅｄｉａｔｅ  ｒｅｑｕｅｓｔ）メッセージを送信する段階と、
前記Ｖ−ＳＬＣと前記Ｖ−ＳＰＣ間の通信により内部初期化を行ってＳＵＰＬ  ＰＯＳ（ｐｏｓｉｔｉｏｎｉｎｇ）手順準備が開始することを前記Ｖ−ＳＰＣに通知し、前記Ｖ−ＳＰＣから前記Ｖ−ＳＬＣに前記Ｖ−ＳＰＣのアドレス及びポート番号情報を内部通信により伝送する段階と、
前記Ｖ−ＳＬＣから前記Ｈ−ＳＬＣに前記ＲＬＰ  ＳＳＲＬＩＲメッセージに応答して前記Ｖ−ＳＰＣの前記アドレス及びポート番号情報を含むＲＬＰ応答メッセージを送信する段階と、
前記Ｈ−ＳＬＣから前記目的ＳＥＴに前記Ｖ−ＳＰＣの前記アドレス及びポート番号情報、並びにセッションＩＤを含むＳＵＰＬ  ＲＥＳＰＯＮＳＥメッセージを送信する段階と、
前記目的ＳＥＴと前記Ｖ−ＳＰＣ間の通信接続を設定するために、前記目的ＳＥＴから前記Ｖ−ＳＰＣに前記受信されたアドレス及びポート番号情報を利用してＳＵＰＬ  ＰＯＳ  ＩＮＩＴメッセージを送信する段階と、
前記Ｖ−ＳＰＣと前記Ｖ−ＳＬＣ間の内部通信を行う段階と、
前記目的ＳＥＴと前記Ｖ−ＳＰＣ間に設定された前記通信接続により前記ＳＵＰＬ  ＰＯＳ手順を行うことにより、前記目的ＳＥＴの位置情報を測定する段階と、
前記Ｖ−ＳＰＣから前記目的ＳＥＴにＳＵＰＬ  ＥＮＤメッセージを送信することにより、前記目的ＳＥＴと前記Ｖ−ＳＰＣ間の前記通信接続を解除する段階と
を含むことを特徴とするＳＵＰＬベースの位置情報システムにおけるＳＵＰＬローミング方法。
【請求項５５】
前記Ｖ−ＳＰＣが前記目的ＳＥＴの測定された位置情報を内部通信により前記Ｖ−ＳＬＣに伝送する段階と、
前記Ｖ−ＳＬＣがＲＬＰ  ＳＳＲＰ（ｓｔａｎｄａｒｄ  ＳＵＰＬ  ｒｏａｍｉｎｇ  ｐｏｓｉｔｉｏｎ）メッセージを送信することにより前記目的ＳＥＴの測定された位置情報を前記Ｈ−ＳＬＣに伝送する段階とをさらに含むことを特徴とする請求項５４に記載のＳＵＰＬベースの位置情報システムにおけるＳＵＰＬローミング方法。
【発明の詳細な説明】
【技術分野】
【０００１】
本発明は、移動通信システムに関し、特に、位置情報システムにおいてＳＵＰＬ（Ｓｅｃｕｒｅ  Ｕｓｅｒ  Ｐｌａｎｅ  Ｌｏｃａｔｉｏｎ）ベースのロケーションサービスを利用したローミング方法及びシステムに関する。
【背景技術】
【０００２】
一般に、無線通信システムは、移動端末の位置を測定するための関連機能部をネットワークに備えることにより、周期的に又は要求に応じて移動端末の位置を所定エンティティに提供するロケーションサービスを提供する。
【０００３】
ロケーションサービスに関するネットワーク構造は、３ＧＰＰや３ＧＰＰ２などの内部ネットワーク構造によって異なり、現在の移動端末の位置を測定する方法としては、移動端末の属するセルのＩＤを伝送するセルＩＤ方式、移動端末から各基地局に電波が到達する時間を測定した後、三角測量を用いて移動端末の位置を測定する方法、及びＧＰＳ（Ｇｌｏｂａｌ  Ｐｏｓｉｔｉｏｎｉｎｇ  Ｓｙｓｔｅｍ）を用いた方法などがある。
【０００４】
しかしながら、前記ロケーションサービスをユーザに提供するためには、大量のシグナリング及び位置情報が移動端末とロケーションサーバ間で送受信される必要がある。最近、ロケーションサービスを提供するための標準化した位置追跡技術（Ｐｏｓｉｔｉｏｎｉｎｇ  ｔｅｃｈｎｏｌｏｇｉｅｓ）、すなわち、移動端末の位置に基づいたロケーションサービスが急速に広がっている。前記技術は、通常ユーザプレーン（ユーザデータ処理プレーン）と制御プレーン（ネットワークプレーン）により提供できる。
【０００５】
前記技術の一例として、ユーザプレーンを介してロケーションサービスを提供するＳＵＰＬ（Ｓｅｃｕｒｅ  Ｕｓｅｒ  Ｐｌａｎｅ  Ｌｏｃａｔｉｏｎ）方法がある。前記ＳＵＰＬは、移動端末の位置を測定するために必要な位置情報を伝達する効率的な方法であり、ＧＰＳアシスタンスのようなアシスタンス情報を伝達するために、また、移動端末とネットワーク間で位置技術関連プロトコルを運ぶために、ユーザプレーンデータベアラを使用する。
【０００６】
通常、位置情報システムにおいて、ロケーションサービスを提供するためのＳＵＰＬネットワークは、ＳＵＰＬエージェント、ＳＬＰ（ＳＵＰＬ  Ｌｏｃａｔｉｏｎ  Ｐｌａｔｆｏｒｍ）、及びＳＥＴ（ＳＵＰＬ  Ｅｎａｂｌｅｄ  Ｔｅｒｍｉｎａｌ）を含む。前記ＳＵＰＬエージェントは、実際に測定された位置情報を使用する論理的なサービスアクセスポイントであり、前記ＳＥＴの位置を要求するエンティティでもよい。前記ＳＬＰは、位置情報を取得するためにネットワークリソースにアクセスするネットワークのＳＵＰＬサービスアクセス部であり、サーバでもよい。また、前記ＳＥＴは、ＳＵＰＬインタフェースを使用してＳＵＰＬネットワークと通信できる装置であり、例えば、ＵＭＴＳのＵＥ（Ｕｓｅｒ  Ｔｅｒｍｉｎａｌ）、ＧＳＭのＭＳ（Ｍｏｂｉｌｅ  Ｓｔａｔｉｏｎ）、ＩＳ−９５のＭＳ、ＳＥＴ機能を有するラップトップコンピュータ、又はＰＤＡ（Ｐｅｒｓｏｎａｌ  ｄｉｇｉｔａｌ  ａｓｓｉｓｔａｎｔ）である。又は、ＷＬＡＮ（Ｗｉｒｅｌｅｓｓ  Ｌｏｃａｌ  Ａｒｅａ  Ｎｅｔｗｏｒｋ）で接続する多様な移動端末である。前記ＳＥＴは、ユーザプレーンベアラによりネットワークと連動することでＳＵＰＬにおける定義手順をサポートする。また、ユーザが最初に登録したネットワークをホームネットワークといい、ユーザがホームネットワーク領域でない他の領域に移動又はローミングしたとき、該当領域のネットワークを訪問ネットワーク（Ｖｉｓｉｔｅｄ  Ｎｅｔｗｏｒｋ）という。また、ホームネットワーク内のＳＬＰをＨ−ＳＬＰ（Ｈｏｍｅ−ＳＬＰ）といい、訪問ネットワーク内のＳＬＰをＶ−ＳＬＰ（Ｖｉｓｉｔｅｄ−ＳＬＰ）という。
【０００７】
ここで、ネットワークにおいてＳＵＰＬ手順を開始する場合、外部クライアントが最初に接続するＳＬＰをＲ−ＳＬＰ（Ｒｅｑｕｅｓｔｉｎｇ  ＳＬＰ）といい、前記Ｒ−ＳＬＰは、論理エンティティであり、Ｈ−ＳＬＰと同一でもよく、同一でなくてもよい。また、現在位置追跡を目標とするＳＥＴを目的ＳＥＴという。
【０００８】
一般の位置情報システムにおけるローミング方法は、次の通りである。
【０００９】
目的ＳＥＴが現在ローミングしている訪問ネットワークにおいて、目的ＳＥＴの位置を測定するために訪問ネットワークとの直接接続によりＳＵＰＬサービスを提供するとき、前記目的ＳＥＴは、ホームネットワークとＴＣＰ（Ｔｒａｎｓｍｉｓｓｉｏｎ  Ｃｏｎｔｒｏｌ  Ｐｒｏｔｏｃｏｌ）接続を設定し、前記設定されたＴＣＰ接続により訪問ネットワークのアドレスを前記ホームネットワークから受信する。前記ホームネットワークとＴＣＰ接続を維持した状態で、前記目的ＳＥＴは、前記訪問ネットワークのアドレスを利用して訪問ネットワークとＴＣＰ接続を設定して位置を測定する。
【００１０】
従って、一般的な位置情報システムにおけるローミング方法には、ＳＵＰＬサービスを受信するために、目的ＳＥＴがホームネットワーク及び訪問ネットワークとの２つのＴＣＰ接続を同時に続けて維持しなければならないという欠点があった。また、訪問ネットワークと目的ＳＥＴ間の直接接続により目的ＳＥＴの位置を測定するための手順の実行中にも、ホームネットワークは目的ＳＥＴとＴＣＰ接続を続けて維持していなければならないので、従来のＳＵＰＬローミング方法には、ホームネットワークのＴＣＰリソースの使用効率の低下、システムの接続複雑度の増加、及びシステムへのシグナリングの負荷の増加の問題があった。
【発明の開示】
【発明が解決しようとする課題】
【００１１】
本発明は、このような問題を解決するために提案されたものであり、本発明の目的は、ローミング端末にロケーションサービスを提供する方法及びシステムを提供することにある。
【００１２】
本発明の他の目的は、訪問ネットワークのＳＬＰが目的端末の位置を測定するための位置追跡（ｐｏｓｉｔｉｏｎｉｎｇ）機能を管理するともに、ＳＵＰＬセッションを設定及び解除するリソース管理機能も実行できるようにすることにより、目的端末がホームネットワークとのＴＣＰ（Ｔｒａｎｓｍｉｓｓｉｏｎ  Ｃｏｎｔｒｏｌ  Ｐｒｏｔｏｃｏｌ）接続（ｓｅｃｕｒｅ  ＩＰ  ｃｏｎｎｅｃｔｉｏｎ）及び訪問ネットワークとのＴＣＰ接続を同時に維持する必要がないため、目的端末のシグナリング負荷（ｓｉｇｎａｌｉｎｇ  ｂｕｒｄｅｎ）を低減できる位置情報システムにおけるローミング端末、方法、及びシステムを提供することにある。
【００１３】
本発明のさらに他の目的は、訪問ネットワークと目的端末間の直接接続によりＳＵＰＬサービスを提供する場合、目的端末がホームネットワークとＴＣＰ接続を設定して解除した後、訪問ネットワークとＴＣＰ接続を設定することにより、ＳＵＰＬ手順実行中に目的端末が２つのＴＣＰ接続を同時に維持しなくても訪問ネットワークからＳＵＰＬサービスを受信できる位置情報システムにおけるローミング方法及びシステムを提供することにある。
【００１４】
本発明のさらに他の目的は、訪問ネットワークと目的端末間の直接接続によりＳＵＰＬサービスを提供する場合、訪問ネットワークにプロキシエンティティ（ｐｒｏｘｙ  ｅｎｔｉｔｙ）を備えずに目的端末の実際の現在位置を測定するＳＵＰＬ位置センターと直接接続を設定して前記目的端末の位置を測定できる位置情報システムにおけるローミング方法及びシステムを提供することにある。
【００１５】
本発明のさらに他の目的は、目的端末と該目的端末のホームネットワーク間のＴＣＰ接続なしに前記目的端末と訪問ネットワーク間のＴＣＰ接続を設定することにより、訪問ネットワークにおいて目的端末の位置情報を取得する位置情報システムにおけるローミング方法及びシステムを提供することにある。
【課題を解決するための手段】
【００１６】
このような目的を達成するために、本発明の一態様によるＳＵＰＬベースの位置情報システムにおけるＳＵＰＬローミング方法は、目的端末とホームネットワーク間の第１ＴＣＰ接続を解除し、前記目的端末と訪問ネットワーク間に第２ＴＣＰ接続を設定し、前記第２ＴＣＰ接続により前記目的端末の位置を測定する手順を行う。
【００１７】
このような目的を達成するために、本発明の他の態様によるＳＵＰＬベースの位置情報システムのローミング方法は、目的ＳＥＴの位置情報が要求されると、第１ＴＣＰ接続によりＨ−ＳＬＣが前記目的ＳＥＴの位置情報を測定するためにＶ−ＳＰＣのアドレスを目的ＳＥＴに通知して前記第１ＴＣＰ接続を解除する段階と、前記Ｖ−ＳＰＣのアドレスを利用して前記目的ＳＥＴと前記Ｖ−ＳＰＣ間に第２ＴＣＰ接続を設定する段階と、前記第２ＴＣＰ接続により前記Ｖ−ＳＰＣと前記目的ＳＥＴが互いに連動して前記目的ＳＥＴの位置を測定する段階と、前記測定された目的ＳＥＴの位置情報を前記Ｖ−ＳＰＣが前記Ｈ−ＳＬＣに伝送し、前記第２ＴＣＰ接続を解除する段階とを含む。
【００１８】
このような目的を達成するために、本発明の他の態様により、ＳＵＰＬエージェント、Ｒ−ＳＬＰ、Ｈ−ＳＬＣ、Ｖ−ＳＰＣ、及び目的ＳＥＴを備えたＳＵＰＬベースの位置情報システムにおけるＳＵＰＬローミング方法が提供され、前記ＳＵＰＬローミング方法は、ＳＵＰＬエージェントがＭＬＰ通信方式でＲ−ＳＬＰに目的ＳＥＴの位置情報を要求する段階と、前記Ｒ−ＳＬＰがＲＬＰ通信方式で前記目的ＳＥＴの属するＨ−ＳＬＣに前記ＭＬＰ  ＳＬＩＲメッセージを送信する段階と、前記目的ＳＥＴがＳＵＰＬ機能をサポートするか否か、又は前記目的ＳＥＴがローミングサービス領域に位置するか否かを前記Ｈ−ＳＬＣが確認する段階と、前記目的ＳＥＴがＳＵＰＬ機能をサポートし、ローミングサービス領域に属する場合、前記Ｈ−ＳＬＣが前記目的ＳＥＴにＳＵＰＬ  ＩＮＩＴメッセージを送信して前記目的ＳＥＴとＳＵＰＬ手順を開始し、第１ＴＣＰ接続を設定する段階と、前記目的ＳＥＴがＳＵＰＬ  ＳＴＡＲＴメッセージを前記Ｈ−ＳＬＣに送信してＳＵＰＬ手順の開始を通知する段階と、前記Ｈ−ＳＬＣが前記受信されたＳＵＰＬ  ＳＴＡＲＴメッセージに基づいて前記目的ＳＥＴが現在位置しているＶ−ＳＬＣを判断し、ＲＬＰ  ＳＳＲＬＩＲメッセージにより前記Ｖ−ＳＬＣに前記ＳＵＰＬ  ＳＴＡＲＴメッセージを送信する段階と、前記Ｖ−ＳＬＣが前記Ｖ−ＳＬＣとＶ−ＳＰＣ間で内部初期化（ｉｎｔｅｒｎａｌ  ｉｎｉｔｉａｌｉｚａｔｉｏｎ）によりＳＵＰＬ  ＰＯＳ（ｐｏｓｉｔｉｏｎｉｎｇ）手順準備が開始することを前記Ｖ−ＳＰＣに通知し、前記Ｖ−ＳＰＣが前記Ｖ−ＳＰＣのＩＰアドレス及びポート番号情報を前記Ｖ−ＳＬＣに伝送する段階と、前記Ｖ−ＳＬＣが前記Ｈ−ＳＬＣに前記Ｖ−ＳＰＣのＩＰアドレス及びポート番号を伝送する段階と、前記Ｈ−ＳＬＣが前記Ｖ−ＳＰＣのＩＰアドレス及びポート番号、並びに前記第１ＴＣＰ接続のセッションＩＤを前記目的ＳＥＴに伝送し、前記第１ＴＣＰ接続を解除する段階と、前記目的ＳＥＴが前記ＩＰアドレス及び前記ポート番号に該当するＶ−ＳＰＣにＳＵＰＬ  ＰＯＳ  ＩＮＩＴメッセージを送信してＶ−ＳＰＣと第２ＴＣＰ接続を設定する段階と、前記目的ＳＥＴの位置が測定されると、前記Ｖ−ＳＰＣが前記第２ＴＣＰ接続のセッションＩＤを前記目的ＳＥＴに伝送して前記第２ＴＣＰ接続を解除する段階と、前記Ｖ−ＳＰＣが前記測定された目的ＳＥＴ位置情報を内部通信（ｉｎｔｅｒｎａｌ  ｃｏｍｍｕｎｉｃａｔｉｏｎ）により前記Ｖ−ＳＬＣに伝送し、前記Ｖ−ＳＬＣが前記目的ＳＥＴ位置情報を前記Ｈ−ＳＬＣに伝送する段階と、前記Ｈ−ＳＬＣが前記目的ＳＥＴ位置情報をＲＬＰ通信方式で前記Ｒ−ＳＬＰに伝送する段階と、前記Ｒ−ＳＬＰが前記目的ＳＥＴ位置情報をＭＬＰ通信方式で前記ＳＵＰＬエージェントに伝送する段階とを含む。
【００１９】
このような目的を達成するために、本発明の他の態様により、ＳＵＰＬエージェント、Ｒ−ＳＬＰ、Ｈ−ＳＬＣ、Ｖ−ＳＰＣ、及び目的ＳＥＴを備えたＳＵＰＬベースの位置情報システムにおけるＳＵＰＬローミング方法が提供され、前記ＳＵＰＬローミング方法は、ＳＵＰＬエージェントがＭＬＰ通信方式でＲ−ＳＬＰに目的ＳＥＴの位置情報を要求する段階と、前記Ｒ−ＳＬＰが前記目的ＳＥＴの属するＨ−ＳＬＣにＲＬＰ通信方式で前記ＭＬＰ  ＳＬＩＲメッセージを送信する段階と、前記目的ＳＥＴがＳＵＰＬ機能をサポートするか否か、又は前記目的ＳＥＴがローミングサービス領域に位置しているか否かを前記Ｈ−ＳＬＣが確認する段階と、前記Ｈ−ＳＬＣがローミングサービス領域のＶ−ＳＬＣにＶ−ＳＰＣのアドレスを要求する段階と、前記Ｖ−ＳＬＣがＳＵＰＬ  ＰＯＳ手順準備が開始することを前記Ｖ−ＳＰＣに通知し、前記Ｖ−ＳＰＣが前記Ｖ−ＳＬＣに前記Ｖ−ＳＰＣのＩＰアドレス及びポート番号情報を伝送する段階と、前記Ｖ−ＳＬＣが前記Ｈ−ＳＬＣに前記Ｖ−ＳＰＣのＩＰアドレス及びポート番号を伝送する段階と、前記Ｈ−ＳＬＣがＳＵＰＬ  ＩＮＩＴメッセージにより前記Ｖ−ＳＰＣのＩＰアドレス及びポート番号、並びに第１ＴＣＰ接続のセッションＩＤを前記目的ＳＥＴに伝送してＳＵＰＬ手順を開始し、前記第１ＴＣＰ接続を解除する段階と、前記目的ＳＥＴが前記ＩＰアドレス及び前記ポート番号に該当するＶ−ＳＰＣにＳＵＰＬ  ＰＯＳ  ＩＮＩＴメッセージを送信してＶ−ＳＰＣと第２ＴＣＰ接続を設定する段階と、前記目的ＳＥＴの位置が測定されると、前記Ｖ−ＳＰＣが、前記第２ＴＣＰ接続のセッションＩＤを前記目的ＳＥＴに伝送して前記第２ＴＣＰ接続を解除する段階と、前記Ｖ−ＳＰＣが前記測定された目的ＳＥＴ位置情報を内部通信により前記Ｖ−ＳＬＣに伝送し、前記Ｖ−ＳＬＣが前記目的ＳＥＴ位置情報を前記Ｈ−ＳＬＣに伝送する段階と、前記Ｈ−ＳＬＣが前記目的ＳＥＴ位置情報をＲＬＰ通信方式で前記Ｒ−ＳＬＰに伝送する段階と、前記Ｒ−ＳＬＰが前記目的ＳＥＴ位置情報をＭＬＰ通信方式で前記ＳＵＰＬエージェントに伝送する段階とを含む。
【００２０】
このような目的を達成するために、本発明のさらに他の態様により、Ｖ−ＳＬＣとＶ−ＳＰＣを備えたＶ−ＳＬＰ（Ｖｉｓｉｔｅｄ−ＳＬＰ）、Ｈ−ＳＬＣを備えたＨ−ＳＬＰ（Ｈｏｍｅ−ＳＬＰ）、目的ＳＥＴを含むＳＵＰＬベースの位置情報システムにおけるＳＵＰＬローミング方法が提供され、前記ＳＵＰＬローミング方法は、前記目的ＳＥＴがＳＵＰＬ  ＳＴＡＲＴメッセージを前記Ｈ−ＳＬＣに伝送して第１ＴＣＰ接続を設定し、ＳＵＰＬ手順を開始する段階と、前記受信されたＳＵＰＬ  ＳＴＡＲＴメッセージに基づいて前記目的ＳＥＴが現在位置しているＶ−ＳＬＰを前記Ｈ−ＳＬＣが判断し、ＲＬＰ  ＳＲＬＩＲメッセージにより前記Ｖ−ＳＬＣに前記ＳＵＰＬ  ＳＴＡＲＴメッセージを送信する段階と、前記Ｖ−ＳＬＣが内部初期化によりＳＵＰＬ  ＰＯＳ手順準備が開始することをＶ−ＳＰＣに通知し、前記Ｖ−ＳＰＣが前記内部初期化により前記Ｖ−ＳＰＣのＩＰアドレス及びポート番号を前記Ｖ−ＳＬＣに伝送する段階と、前記Ｖ−ＳＬＣが前記Ｖ−ＳＰＣのＩＰアドレス及びポート番号を前記Ｈ−ＳＬＣに伝送する段階と、前記Ｈ−ＳＬＣが前記Ｖ−ＳＬＰのＩＰアドレス及びポート番号、並びに前記第１ＴＣＰ接続のセッションＩＤを前記目的ＳＥＴに伝送し、前記第１ＴＣＰ接続を解除する段階と、前記目的ＳＥＴが前記ＩＰアドレス及び前記ポート番号に該当するＶ−ＳＰＣにＳＵＰＬ  ＰＯＳ  ＩＮＩＴメッセージを送信し、Ｖ−ＳＰＣと第２ＴＣＰ接続を設定する段階と、前記第２ＴＣＰ接続により目的ＳＥＴの位置測定手順が行われる場合、前記Ｖ−ＳＰＣが前記第２ＴＣＰ接続のセッションＩＤを前記目的ＳＥＴに伝送して前記第２ＴＣＰ接続を解除する段階と、前記Ｖ−ＳＰＣが前記測定された目的ＳＥＴの位置情報を内部通信により前記Ｖ−ＳＬＣに伝送し、前記Ｖ−ＳＬＣが前記目的ＳＥＴの位置情報をＲＬＰ−ＳＳＲＰメッセージにより前記Ｈ−ＳＬＣに伝送する段階とを含む。
【００２１】
上記の目的を達成するために、本発明のさらに他の態様により、訪問ネットワークと目的ＳＥＴ間の直接接続によりＳＵＰＬサービスを提供するＳＵＰＬベースの位置情報システムにおけるＳＵＰＬローミングシステムが提供され、前記ＳＵＰＬローミングシステムは、前記目的ＳＥＴの位置情報が要求された場合、前記目的ＳＥＴの位置情報を測定するためのＶ−ＳＬＰ関連情報を第１ＴＣＰ接続により前記目的ＳＥＴに伝送し、前記第１ＴＣＰ接続を解除するＨ−ＳＬＰと、前記目的ＳＥＴと第２ＴＣＰ接続を設定して前記第２ＴＣＰ接続により前記目的ＳＥＴの位置測定手順を行った後、前記第２ＴＣＰ接続を解除するＶ−ＳＬＰと、前記第１ＴＣＰ接続を解除した後、前記第２ＴＣＰ接続を設定して解除する目的ＳＥＴとを含む。
【００２２】
本発明の他の態様により、目的端末の位置情報を取得する方法が提供され、前記方法は、目的端末の位置情報が要求されると、前記目的端末と該目的端末に関連した訪問ネットワークとの間のＴＣＰ接続を設定する段階と、前記目的端末又は前記訪問ネットワーク内のロケーションサーバが、前記目的端末と該目的端末のホームネットワークとの間のＴＣＰ接続なしに前記設定されたＴＣＰ接続により前記目的端末の位置情報を取得する段階とを含む。
【００２３】
本発明の他の態様により、ＳＥＴ（ＳＵＰＬ  Ｅｎａｂｌｅｄ  Ｔｅｒｍｉｎａｌ）の位置情報を取得するための方法が提供され、前記方法は、目的端末が該目的端末のホームロケーションサーバから前記目的端末に関する訪問ロケーションサーバのアドレス情報を含むＳＵＰＬ初期化メッセージを受信する段階と、前記受信したアドレス情報に基づいて前記訪問ロケーションサーバとＴＣＰ接続を設定する段階と、前記設定されたＴＣＰ接続により前記訪問ロケーションサーバとセッションを行って前記目的端末の位置情報を取得する段階とを含む。
【００２４】
本発明の他の態様により、ＳＥＴのためのローミング方法が提供され、前記方法は、目的端末のホームロケーションサーバとＴＣＰ接続を設定して前記ＴＣＰ接続により前記目的端末に関する訪問ロケーションサーバのアドレス情報を取得し、前記ホームロケーションサーバとのＴＣＰ接続を解除する段階と、前記ホームロケーションサーバとのＴＣＰ接続を解除した後、前記取得されたアドレス情報に基づいて前記訪問ロケーションサーバとのＴＣＰ接続を設定し、前記訪問ロケーションサーバとの前記ＴＣＰ接続により前記目的端末の位置情報を取得した後、前記訪問ロケーションサーバとのＴＣＰ接続を解除する段階とを含む。
【００２５】
本発明の他の態様による目的端末の位置情報を取得するためのシステムは、目的端末と、該目的端末に関連したホームネットワークと、前記目的端末がローミングし、ロケーションサーバを有する訪問ネットワークとを含み、前記目的端末の位置情報が要求されると、前記目的端末と前記訪問ネットワーク間にＴＣＰ接続が設定され、目的端末又は訪問ネットワークのロケーションサーバが目的端末とホームネットワーク間のＴＣＰ接続なしに前記設定されたＴＣＰ接続により目的端末の位置情報を取得する。
【００２６】
本発明の他の態様によるＳＥＴは、前記端末のホームロケーションサーバから前記端末に関する訪問ロケーションサーバのアドレス情報を含むＳＵＰＬ初期化メッセージを受信し、前記受信したアドレス情報に基づいて前記訪問ロケーションサーバとのＴＣＰ接続を設定し、前記端末の位置情報を取得するために前記設定されたＴＣＰ接続により前記訪問ロケーションサーバとセッションを行う少なくとも１つのプロセッサを含む。
【００２７】
本発明の他の態様によるＳＥＴは、前記端末のホームロケーションサーバとＴＣＰ接続を設定し、前記ＴＣＰ接続により前記端末に関する訪問ロケーションサーバのアドレス情報を取得して前記ホームロケーションサーバとのＴＣＰ接続を解除した後、前記取得したアドレス情報に基づいて前記訪問ロケーションサーバとＴＣＰ接続を設定し、前記訪問ロケーションサーバとＴＣＰ接続により前記端末の位置情報を取得し、前記訪問ロケーションサーバとのＴＣＰ接続を解除する少なくとも１つのプロセッサを含む。
【００２８】
本発明の他の態様により、目的ＳＥＴ、ＳＵＰＬエージェント、Ｒ−ＳＬＰ（ｒｅｑｕｅｓｔｉｎｇ  ＳＵＰＬ  ｌｏｃａｔｉｏｎ  ｐｌａｔｆｏｒｍ）、前記目的ＳＥＴのホームネットワークにあるＨ−ＳＬＣ（ｈｏｍｅ  ＳＵＰＬ  ｌｏｃａｔｉｏｎ  ｃｅｎｔｅｒ）、前記目的ＳＥＴの訪問ネットワークにあるＶ−ＳＬＣ（ｖｉｓｉｔｅｄ  ＳＵＰＬ  ｌｏｃａｔｉｏｎ  ｃｅｎｔｅｒ）、及び前記目的ＳＥＴの前記訪問ネットワークにあるＶ−ＳＰＣ（ｖｉｓｉｔｅｄ  ＳＵＰＬ  ｐｏｓｉｔｉｏｎｉｎｇ  ｃｅｎｔｅｒ）を備えたＳＵＰＬベースの位置情報システムにおけるＳＵＰＬローミング方法が提供され、前記ＳＵＰＬローミング方法は、前記ＳＵＰＬエージェントが前記Ｒ−ＳＬＰにＭＬＰ  ＳＬＩＲ（ｍｏｂｉｌｅ  ｌｏｃａｔｉｏｎ  ｐｒｏｔｏｃｏｌ  ｓｔａｎｄａｒｄ  ｌｏｃａｔｉｏｎ  ｉｍｍｅｄｉａｔｅ  ｒｅｑｕｅｓｔ）メッセージを送信して前記目的ＳＥＴの位置情報を要求する段階と、前記Ｒ−ＳＬＰが前記Ｈ−ＳＬＣにＲＬＰ  ＳＲＬＩＲ（ｒｏａｍｉｎｇ  ｌｏｃａｔｉｏｎ  ｐｒｏｔｏｃｏｌ  ＳＵＰＬ  ｒｏａｍｉｎｇ  ｌｏｃａｔｉｏｎ  ｉｍｍｅｄｉａｔｅ  ｒｅｑｕｅｓｔ）メッセージを送信する段階と、前記目的ＳＥＴがＳＵＰＬ機能をサポートするか否か、又は前記目的ＳＥＴがローミングサービス領域に位置しているか否かを前記Ｈ−ＳＬＣが確認する段階と、前記Ｈ−ＳＬＣがＶ−ＳＬＣにＲＬＰ  ＳＳＲＬＩＲ（ｓｔａｎｄａｒｄ  ＳＵＰＬ  ｒｏａｍｉｎｇ  ｌｏｃａｔｉｏｎ  ｉｍｍｅｄｉａｔｅ  ｒｅｑｕｅｓｔ）メッセージを送信して前記ローミングサービス領域のＶ−ＳＰＣのアドレス情報を要求する段階と、前記Ｖ−ＳＬＣとＶ−ＳＰＣ間の通信により内部初期化を行い、前記Ｖ−ＳＰＣにＳＵＰＬ  ＰＯＳ手順準備が開始することを通知する段階と、前記Ｖ−ＳＰＣが前記Ｖ−ＳＰＣのアドレス及びポート番号情報を内部通信により前記Ｖ−ＳＬＣに伝送する段階と、前記Ｖ−ＳＬＣが前記Ｈ−ＳＬＣに前記ＲＬＰ  ＳＳＲＬＩＲメッセージに応答して前記Ｖ−ＳＰＣのアドレス及びポート番号情報を含むＲＬＰ応答メッセージを送信する段階と、前記Ｈ−ＳＬＣが目的ＳＥＴに前記Ｖ−ＳＰＣの前記アドレスとポート番号情報及びセッションＩＤを含むＳＵＰＬ  ＩＮＩＴ（ｉｎｉｔｉａｔｅ）メッセージを送信する段階と、前記目的ＳＥＴがデータ接続セットアップを行う段階と、前記目的ＳＥＴが前記受信されたアドレス及びポート番号情報を利用して前記Ｖ−ＳＰＣにＳＵＰＬ  ＰＯＳ  ＩＮＩＴメッセージを送信して前記目的ＳＥＴと前記Ｖ−ＳＰＣ間の通信接続を設定する段階と、前記Ｖ−ＳＰＣと前記Ｖ−ＳＬＣ間の内部通信を行う段階と、前記目的ＳＥＴと前記Ｖ−ＳＰＣ間に設定された前記通信接続により前記ＳＵＰＬ  ＰＯＳ手順を行って前記目的ＳＥＴの位置情報を測定する段階と、前記Ｖ−ＳＰＣが目的ＳＥＴにＳＵＰＬ  ＥＮＤメッセージを送信して前記目的ＳＥＴとＶ−ＳＰＣ間の前記通信接続を解除する段階とを含む。
【００２９】
本発明の他の態様により、目的ＳＥＴ、前記目的ＳＥＴのホームネットワークにあるＨ−ＳＬＣ（ｈｏｍｅ  ＳＵＰＬ  ｌｏｃａｔｉｏｎ  ｃｅｎｔｅｒ）、前記目的ＳＥＴの訪問ネットワークにあるＶ−ＳＬＣ（ｖｉｓｉｔｅｄ  ＳＵＰＬ  ｌｏｃａｔｉｏｎ  ｃｅｎｔｅｒ）、及び前記目的ＳＥＴの前記訪問ネットワークにあるＶ−ＳＰＣ（ｖｉｓｉｔｅｄ  ＳＵＰＬ  ｐｏｓｉｔｉｏｎｉｎｇ  ｃｅｎｔｅｒ）を備えたＳＵＰＬベースの位置情報システムにおけるＳＵＰＬローミング方法が提供され、前記ＳＵＰＬローミング方法は、前記目的ＳＥＴがデータセットアップを行う段階と、前記目的ＳＥＴがセッションＩＤを含むＳＵＰＬ  ＳＴＡＲＴメッセージを前記Ｈ−ＳＬＣに伝送する段階と、前記Ｈ−ＳＬＣが前記目的ＳＥＴに関するルーティング情報を確認する段階と、前記Ｈ−ＳＬＣがＲＬＰ  ＳＲＬＩＲメッセージを前記Ｖ−ＳＬＣに伝送して前記Ｖ−ＳＰＣの位置情報を要求する段階と、前記Ｖ−ＳＬＣとＶ−ＳＰＣ間の通信により内部初期化を行ってＶ−ＳＰＣにＳＵＰＬ  ＰＯＳ手順準備が開始することを通知し、前記Ｖ−ＳＰＣが内部通信によりＶ−ＳＰＣのアドレス及びポート番号情報をＶ−ＳＬＣに伝送する段階と、前記Ｖ−ＳＬＣが前記ＲＬＰ  ＳＳＲＬＩＲメッセージに応答して前記Ｖ−ＳＰＣのアドレス及びポート番号情報を含むＲＬＰ応答メッセージをＨ−ＳＬＣに伝送する段階と、前記Ｈ−ＳＬＣが前記Ｖ−ＳＰＣのアドレス及びポート番号情報、並びにセッションＩＤを含むＳＵＰＬ  ＲＥＳＰＯＮＳＥメッセージを目的ＳＥＴに送信する段階と、前記目的ＳＥＴが前記受信したアドレス及びポート番号情報を利用してＳＵＰＬ  ＰＯＳ  ＩＮＩＴメッセージを前記Ｖ−ＳＰＣに送信して前記目的ＳＥＴとＶ−ＳＰＣ間の通信接続を設定する段階と、前記Ｖ−ＳＰＣとＶ−ＳＬＣ間の内部通信を行う段階と、前記目的ＳＥＴとＶ−ＳＰＣ間に設定された通信接続により前記ＳＵＰＬ  ＰＯＳ手順を行って前記目的ＳＥＴの位置情報を測定する段階と、前記Ｖ−ＳＰＣがＳＵＰＬ  ＥＮＤメッセージを前記目的ＳＥＴに送信して前記目的ＳＥＴとＶ−ＳＰＣ間の通信接続を解除する段階とを含む。
【００３０】
本発明のさらなる長所及び利点は後述する発明の詳細な説明に一部が記述されており、一部は前記説明により明確になるか、又は、本発明の適用により理解されるであろう。本発明の目的と長所は、特に、請求の範囲に開示されたように実現及び達成される。
【発明の効果】
【００３１】
本発明は、訪問ネットワークのＳＬＰが目的端末（目的ＳＥＴ）の位置測定のための位置追跡機能を管理するとともに、ＳＵＰＬセッションを設定し解除するリソース管理機能も行うことができるようにすることにより、ＳＵＰＬ手順実行が完了するまで目的端末がホームネットワークとのＴＣＰ接続と訪問ネットワークとのＴＣＰ接続を同時に維持する必要がないため、目的端末のシグナリング負荷を低減できるという効果がある。
【００３２】
また、一部の実施形態においては、目的端末とホームネットワーク間の第１ＴＣＰ接続がオープンされないため、ＳＵＰＬシステムで設定される必要のあるＴＣＰ接続の数が減少し、システムを単純化するという効果がある。
【００３３】
また、ホームネットワークのＳＬＰは、目的端末の位置測定のためのＳＵＰＬ手順まで目的端末とホームネットワーク間のＴＣＰ接続を維持しなくてもよいので、ホームネットワークのＴＣＰリソースの使用効率が向上するという効果がある。
【００３４】
また、本発明は、目的端末がプロキシエンティティの役割を果たすＶ−ＳＬＣを経ずにＶ−ＳＰＣと直接接続を設定して目的端末の位置を測定できるので、ネットワークのシグナリング負荷を低減できるという効果がある。
【発明を実施するための最良の形態】
【００３５】
本発明において、「訪問（ｖｉｓｉｔｅｄ）」という用語は、「訪問する（ｖｉｓｉｔｉｎｇ）」という用語も含む。
【００３６】
本発明は、ＳＵＰＬ（Ｓｅｃｕｒｅ  Ｕｓｅｒ  Ｐｌａｎｅ  Ｌｏｃａｔｉｏｎ）ベースの位置情報システムにおいて、ユーザが現在位置している訪問ネットワークにおいてローミング中にＳＵＰＬサービスを受信できる方法を提供する。前記訪問ネットワークとは、目的端末がローミングして現在位置するネットワークであり、前記目的端末のホームネットワークではない。本発明において、目的端末の訪問ネットワークのＳＬＰは、前記目的端末の位置測定のための位置追跡（ｐｏｓｉｔｉｏｎｉｎｇ）機能だけでなく、ＳＵＰＬセッションを設定して解除するリソース管理機能も行うので、ユーザの端末がホームネットワークとの第１ＴＣＰ接続（ｓｅｃｕｒｅ  ＩＰ  ｃｏｎｎｅｃｔｉｏｎ）を設定して解除した後、前記訪問ネットワークとの第２ＴＣＰ接続（ｓｅｃｕｒｅ  ＩＰ  ｃｏｎｎｅｃｔｉｏｎ）を設定して解除することにより、ユーザの端末が２つのＴＣＰ接続を同時に維持しなくても訪問ネットワークからＳＵＰＬサービスを受信できる方法を提案する。前記方法の変形として、前記訪問ネットワークは、前記端末のホームネットワークと前記第１ＴＣＰ接続を必要とせずに前記ＳＵＰＬサービスをローミングした端末に提供できる。
【００３７】
本発明によると、前記目的端末と前記ホームネットワーク間又は前記目的端末と前記訪問ネットワーク間にＴＣＰ接続が設定された場合、この構成要素間の通信は、一般に前記設定されたＴＣＰ接続により行われる。
【００３８】
一般のローミング方法において、訪問ネットワークとの直接接続により提供されるＳＵＰＬサービスを利用するとき、ロケーションサーバなどのＳＬＰがＳＵＰＬ手順を開始するケースと、ＳＥＴがＳＵＰＬ手順を開始するケースとがある。従って、図１〜図３を参照して本発明によるＳＬＰがＳＵＰＬ手順を開始するＳＵＰＬローミング方法について説明し、図４及び図５を参照して本発明によるＳＥＴがＳＵＰＬ手順を開始するＳＵＰＬローミング方法について説明する。
【００３９】
図１は、本発明の一実施形態によるＳＬＰがＳＵＰＬ手順を開始する場合のＳＵＰＬローミング方法を示す。前記方法は、能動的に結合されたＳＵＰＬエージェント１０、Ｒ−ＳＬＰ３０、Ｖ−ＳＬＰ５０、Ｈ−ＳＬＰ７０、及び目的ＳＥＴ１００を含むシステムにおいて実現される。前記Ｖ−ＳＬＰ５０は、前記目的ＳＥＴ１００の訪問ネットワークにあるロケーションサーバであり、前記Ｈ−ＳＬＰ７０は、前記目的ＳＥＴ１００のホームネットワークにあるロケーションサーバである。前記ＳＵＰＬエージェント１０及びＲ−ＳＬＰ３０は、１つの装置において実現される。図１の方法（又は、本発明の他の方法）は、他の適切なシステムにおいても実現できる。
【００４０】
図１を参照すると、要求エンティティがＳＵＰＬエージェント１０に目的ＳＥＴ１００の位置情報を要求すると、ＳＵＰＬエージェント１０は、ＭＬＰ  ＳＬＩＲ（Ｍｏｂｉｌｅ  Ｌｏｃａｔｉｏｎ  Ｐｒｏｔｏｃｏｌ  Ｓｔａｎｄａｒｄ  Ｌｏｃａｔｉｏｎ  Ｉｍｍｅｄｉａｔｅ  Ｒｅｑｕｅｓｔ）メッセージをＲ−ＳＬＰ３０に送信して前記目的ＳＥＴ１００の位置情報を要求する（Ｓ１１）。前記ＭＬＰ  ＳＬＩＲメッセージは、少なくとも前記目的ＳＥＴ１００を識別する目的ＳＥＴ  ＩＤ（ｍｓｉｄ）と前記ＳＵＰＬエージェント１０を識別する前記ＳＵＰＬエージェント１０のＩＤ（ｌｃｓ（ｌｏｃａｔｉｏｎ  ｓｅｒｖｉｃｅｓ）−ｃｌｉｅｎｔ−ｉｄ）を含むが、ＱｏＳ（ｑｕａｌｉｔｙ  ｏｆ  ｓｅｒｖｉｃｅ）情報などをさらに含むことができる。前記ｍｓｉｄは、電話番号、ＩＰアドレス、又は目的ＳＥＴ１００のＩＤである。
【００４１】
前記Ｒ−ＳＬＰ３０は、受信されたｌｃｓ−ｃｌｉｅｎｔ−ｉｄを利用してＳＵＰＬエージェント要求エンティティ認証手順を経る。例えば、前記Ｒ−ＳＬＰ３０は、ＳＵＰＬエージェント１０を認証し、前記受信したｌｃｓ−ｃｌｉｅｎｔ−ｉｄに基づいて前記ＳＵＰＬエージェントが要求したサービスの受信が許可されたか否かを確認する。さらに、前記Ｒ−ＳＬＰ３０は、受信された目的ＳＥＴ１００のｍｓｉｄを検証して目的ＳＥＴ１００の属するＨ−ＳＬＰを検索した後、前記ＳＵＰＬエージェント１０から受信されたメッセージ、すなわち、ＭＬＰ  ＳＬＩＲメッセージをＲＬＰ  ＳＲＬＩＲ（Ｒｏａｍｉｎｇ  Ｌｏｃａｔｉｏｎ  Ｐｒｏｔｏｃｏｌ  Ｓｔａｎｄａｒｄ  Ｒｏａｍｉｎｇ  Ｌｏｃａｔｉｏｎ  Ｉｍｍｅｄｉａｔｅ  Ｒｅｑｕｅｓｔ）メッセージを利用して前記検索されたＨ−ＳＬＰ７０に送信する（Ｓ１２）。すなわち、前記Ｒ−ＳＬＰ３０は、段階Ｓ１２でＲＬＰ  ＳＲＬＩＲメッセージをＨ−ＳＬＰ７０に送信する。
【００４２】
前記Ｈ−ＳＬＰ７０は、目的ＳＥＴ１００にＳＵＰＬ  ＩＮＩＴ（ＳＵＰＬ初期化）メッセージを送信して目的ＳＥＴ１００とＳＵＰＬ手順を開始する（Ｓ１３）。ここで、Ｈ−ＳＬＰ７０と目的ＳＥＴ１００間のＴＣＰ接続が設定される。前記ＳＵＰＬ  ＩＮＩＴメッセージは、少なくとも位置測定セッション（ＳＵＰＬセッション）のＩＤ（ｓｅｓｓｉｏｎ−ｉｄ）、Ｈ−ＳＬＰのアドレス（ＳＬＰ  ａｄｄｒｅｓｓ）、及び使用される位置追跡方法（ｐｏｓｍｅｔｈｏｄ）パラメータを含む。また、前記段階Ｓ１１で、目的ＳＥＴ１００に対するプライバシー機能を確認した後、目的ＳＥＴ１００に位置情報に関する通知が必要な場合は、通知（ｎｏｔｉｆｉｃａｔｉｏｎ）パラメータが含まれる。目的ＳＥＴ１００は、受信された前記ＳＵＰＬ  ＩＮＩＴメッセージに前記通知パラメータが含まれた場合、ユーザが予め設定したプライバシー関連規則を検証した後、関連手順を行う。
【００４３】
目的ＳＥＴ１００は、ＳＵＰＬ  ＳＴＡＲＴメッセージをＨ−ＳＬＰ７０に伝送して位置測定セッション（ＳＵＰＬセッション）の開始を通知する（Ｓ１４）。前記ＳＵＰＬ  ＳＴＡＲＴメッセージは、少なくとも前記位置測定セッションのＩＤ（ｓｅｓｓｉｏｎ−ｉｄ）、前記目的ＳＥＴ１００の性能（ＳＥＴ  ｃａｐａｂｉｌｉｔｉｅｓ）（目的ＳＥＴ１００によりサポートされる位置追跡方法に関する性能を示すパラメータ）、ロケーション識別子（ｌｏｃａｔｉｏｎ  ｉｄｅｎｔｉｆｉｅｒ）（ｌｉｄ）（例えば、基地局ＩＤ）、ｓｙｓｔｅｍ  ＩＤ（例えば、ＢＳＣ  ＩＤ又はＭＳＣ  ＩＤ）を含む。
【００４４】
Ｈ−ＳＬＰ７０は、前記目的ＳＥＴ１００から受信された前記ＳＵＰＬ  ＳＴＡＲＴメッセージに含まれるｓｙｓｔｅｍ  ＩＤを確認してＶ−ＳＬＰを判断した後、ＲＬＰ  ＳＳＲＬＩＲ（Ｓｔａｎｄａｒｄ  ＳＵＰＬ  Ｒｏａｍｉｎｇ  Ｌｏｃａｔｉｏｎ  Ｉｍｍｅｄｉａｔｅ  Ｒｅｑｕｅｓｔ）メッセージにより前記Ｖ−ＳＬＰ５０に前記ＳＵＰＬ  ＳＴＡＲＴメッセージを送信する（Ｓ１５）。すなわち、前記段階Ｓ１５で、前記Ｈ−ＳＬＰ７０は、前記ＳＵＰＬ  ＳＴＡＲＴメッセージを利用して現在の前記目的ＳＥＴ１００に関するＶ−ＳＬＰの識別子を判断した後、前記ＲＬＰ  ＳＳＲＬＩＲメッセージを前記Ｖ−ＳＬＰ５０に送信する。前記ＲＬＰ  ＳＳＲＬＩＲメッセージは、前記ＳＵＰＬ  ＳＴＡＲＴメッセージのコンテンツ及びｍｓｉｄ、ｓｅｓｓｉｏｎ−ｉｄなどの他の情報を含む。
【００４５】
前記Ｖ−ＳＬＰ５０は、前記ＲＬＰ  ＳＳＲＬＩＲメッセージのコンテンツを検査することにより前記目的ＳＥＴ１００がサポートする位置追跡方法を把握し、前記ＲＬＰ  ＳＳＲＬＩＲメッセージに対する応答メッセージとしてＲＬＰ  ＳＳＲＰ（Ｓｔａｎｄａｒｄ  ＳＵＰＬ  Ｒｏａｍｉｎｇ  Ｐｏｓｉｔｉｏｎ）メッセージを前記Ｈ−ＳＬＰ７０に送信する（Ｓ１６）。前記ＲＬＰ  ＳＳＲＰメッセージは、前記Ｖ−ＳＬＰ５０のＩＰアドレス及びポート番号を含む。
【００４６】
前記Ｈ−ＳＬＰ７０は、ＳＵＰＬ  ＲＥＳＰＯＮＳＥメッセージに前記Ｖ−ＳＬＰ５０から受信したＶ−ＳＬＰ５０のＩＰアドレス及びポート番号を追加し、解除のための前記ＳＵＰＬセッションのＩＤ（ｓｅｓｓｉｏｎ−ｉｄ）を追加した後、前記ＳＵＰＬ  ＲＥＳＰＯＮＳＥメッセージを目的ＳＥＴ１００に送信する。その後、前記目的ＳＥＴ１００は、前記Ｈ−ＳＬＰ７０と設定されたＴＣＰ接続を含む全てのリソースを解除する（Ｓ１７）。すなわち、ここで、前記目的ＳＥＴ１００と前記Ｈ−ＳＬＰ７０間に設定されたＴＣＰ接続が解除される。この場合、前記ＳＵＰＬ  ＲＥＳＰＯＮＳＥメッセージは、実質的にＳＵＰＬ  ＥＮＤメッセージの役割を果たし、ＳＵＰＬ  ＥＮＤメッセージに置き換えることもできる。この場合、前記ＳＵＰＬ  ＲＥＳＰＯＮＳＥメッセージは、少なくとも前記Ｖ−ＳＬＰ５０のＩＰアドレス及びポート番号、並びに前記ＳＵＰＬセッションのＩＤを含まなければならない。
【００４７】
前記目的ＳＥＴ１００は、前記ＳＵＰＬ  ＲＥＳＰＯＮＳＥメッセージに含まれる前記ＩＰアドレス及び前記ポート番号に該当するＶ−ＳＬＰ５０を把握し、前記Ｖ−ＳＬＰ５０とＴＣＰ接続を設定し、前記Ｖ−ＳＬＰ５０にＳＵＰＬ  ＰＯＳ  ＩＮＩＴメッセージ（ＳＵＰＬ  ｐｏｓｉｔｉｏｎｉｎｇ  ｉｎｉｔｉａｔｅ  ｍｅｓｓａｇｅ）を送信する（Ｓ１８）。前記ＳＵＰＬ  ＰＯＳ  ＩＮＩＴメッセージは、例えば、前記ｓｅｓｓｉｏｎ−ＩＤ、ｌｉｄなどを含む。
【００４８】
その後、前記目的ＳＥＴ１００の位置を測定するための位置追跡手順（ＳＵＰＬ  ＰＯＳ）が前記目的ＳＥＴ１００とＶ−ＳＬＰ５０間で開始される。前記目的ＳＥＴ１００及び前記Ｖ−ＳＬＰ５０は、前記目的ＳＥＴ１００の位置情報を測定（判断）するために連続的にメッセージを交換する。前記Ｖ−ＳＬＰ５０又は前記目的ＳＥＴ１００は、位置追跡のために連続的に交換したメッセージにより前記目的ＳＥＴ１００の位置を測定する（Ｓ１９）。前記交換された情報は、前記ｓｅｓｓｉｏｎ−ｉｄ、位置追跡プロトコル情報（例えば、ＲＲＬＰ、ＲＲＣ、ＴＩＡ−８０１等）などを含む。周知の他の方法（例えば、ＧＰＳなど）も前記目的ＳＥＴ１００の位置を実際に測定又は判断するために用いることができる。結果として、前記Ｖ−ＳＬＰ５０は、前記判断された目的ＳＥＴ１００の位置情報を取得する。前記目的ＳＥＴ１００が前記目的ＳＥＴ１００の位置を測定する場合、その結果は前記Ｖ−ＳＬＰ５０に伝送される。
【００４９】
前記目的ＳＥＴ１００の位置が測定されると、前記Ｖ−ＳＬＰ５０は、前記Ｈ−ＳＬＰ７０にＲＬＰ  ＳＳＲＰメッセージを利用して前記測定された目的ＳＥＴ１００の位置情報（ｐｏｓｒｅｓｕｌｔ）を伝送し（Ｓ２０）、前記Ｖ−ＳＬＰ５０は、ＳＵＰＬ  ＥＮＤメッセージを目的ＳＥＴ１００に送信してＳＵＰＬ手順の終了を通知する（Ｓ２１）。前記段階Ｓ２０及びＳ２１の実行順序は考慮しなくてもよい。前記ＳＵＰＬ  ＥＮＤメッセージは、前記目的ＳＥＴ１００と前記Ｖ−ＳＬＰ５０間に設定されたＴＣＰ接続を解除するためのセッションＩＤを含む。従って、前記Ｖ−ＳＬＰ５０と前記目的ＳＥＴ１００間のＴＣＰ接続は、前記段階Ｓ２１で解除される。
【００５０】
前記Ｖ−ＳＬＰ５０から前記ＲＬＰ  ＳＳＲＰメッセージを受信すると、前記Ｈ−ＳＬＰ７０は、前記ＲＬＰ  ＳＲＬＩＲメッセージに対する応答としてＲＬＰ  ＳＲＬＩＡ（Ｓｔａｎｄａｒｄ  Ｒｏａｍｉｎｇ  Ｌｏｃａｔｉｏｎ  Ｉｍｍｅｄｉａｔｅ  Ｒｅｑｕｅｓｔ  Ａｎｓｗｅｒ）メッセージを前記Ｒ−ＳＬＰ３０に送信して前記測定された目的ＳＥＴ１００の位置情報（ｐｏｓｒｅｓｕｌｔ）を伝送する（Ｓ２２）。
【００５１】
その後、前記Ｒ−ＳＬＰ３０は、ＭＬＰ  ＳＬＩＡメッセージを利用して前記目的ＳＥＴ１００の位置情報を前記ＳＵＰＬエージェント１０に伝送する（Ｓ２３）。すなわち、前記ＭＬＰ  ＳＬＩＡメッセージは、前記目的ＳＥＴ１００の位置情報を含み、前記段階Ｓ１１での前記ＭＬＰ  ＳＬＩＲメッセージに対する応答メッセージである。
【００５２】
従って、本発明によるＳＵＰＬローミング方法において、ネットワークのＳＬＰがＳＵＰＬ手順を開始する場合、前記ネットワークのＳＬＰは、目的ＳＥＴとＴＣＰ接続を設定し、目的ＳＥＴにＶ−ＳＬＰのＩＰアドレス及びポート番号を伝送した後、前記目的ＳＥＴと設定されたＴＣＰ接続を解除する。その後、前記受信されたＩＰアドレス及びポート番号に該当するＶ−ＳＬＰ及び前記目的ＳＥＴがＴＣＰ接続を設定して前記目的ＳＥＴの位置を測定するための手順を行った後、前記Ｖ−ＳＬＰが前記目的ＳＥＴとのＴＣＰ接続を解除することにより、前記目的ＳＥＴは、２つのＴＣＰ接続（１つはＶ−ＳＬＰとの接続、もう１つはＨ−ＳＬＰとの接続）を同時に維持しなくてもＳＵＰＬサービスを受信できる。
【００５３】
本発明によると、ネットワーク要素（ｎｅｔｗｏｒｋ  ｅｌｅｍｅｎｔ）であるＳＬＰは、目的端末（目的ＳＥＴ）の位置を実際に測定するエンティティであるＳＰＣ（ＳＵＰＬ  Ｐｏｓｉｔｉｏｎｉｎｇ  Ｃｅｎｔｅｒ）と、前記目的端末の位置情報の測定以外の他のＳＬＰの機能を実行するＳＬＣ（ＳＵＰＬ  Ｌｏｃａｔｉｏｎ  Ｃｅｎｔｅｒ）とから構成される。例えば、前記ＳＬＣは、ローミング及びリソース管理機能を実行する。従って、前記Ｈ−ＳＬＰ７０は、Ｈ−ＳＬＣ（ｈｏｍｅ  ＳＬＣ）７２とＨ−ＳＰＣ（ｈｏｍｅ  ＳＰＣ）７４を含み、前記Ｖ−ＳＬＰ５０は、Ｖ−ＳＬＣ（ｖｉｓｉｔｅｄ  ＳＬＣ）５２とＶ−ＳＰＣ（ｖｉｓｉｔｅｄ  ＳＰＣ）５４を含む。従って、前記Ｈ−ＳＬＰの機能を実行するためにはＨ−ＳＬＣ７２とＨ−ＳＰＣ７４間で内部通信が実行されなければならず、前記Ｖ−ＳＬＰの機能を実行するためにはＶ−ＳＬＣ５２とＶ−ＳＰＣ５４間で内部通信が実行されなければならない。
【００５４】
本発明は、訪問ネットワークと目的ＳＥＴ間の直接接続によりＳＵＰＬサービスが受信される場合を考慮するので、前記Ｈ−ＳＰＣは除かれる。さらに、本発明において、訪問ネットワークと目的ＳＥＴ間の直接接続によりＳＵＰＬサービスが受信される場合、目的ＳＥＴがプロシキエンティティ機能を実行するＶ−ＳＬＣを経ずにＶ−ＳＰＣとの直接接続により目的ＳＥＴの位置情報を測定する方法を提案する。
【００５５】
図２は、ネットワークのＳＬＰがＳＵＰＬ手順を開始する場合の図１のＳＵＰＬローミング方法の一例を示す。
【００５６】
図２を参照すると、前記目的ＳＥＴ１００がＶ−ＳＬＣ５２及びＶ−ＳＰＣ５４を有する訪問ネットワークにローミングする場合、前記目的ＳＥＴ１００は、実際の位置測定機能を実行する前記Ｖ−ＳＰＣ５４と直接接続を設定し、前記目的ＳＥＴ１００及び前記Ｖ−ＳＰＣ５４は、前記目的ＳＥＴ１００の位置測定手順を行い、前記Ｖ−ＳＰＣ５４は、ローミング及びリソース管理機能を実行するＶ−ＳＬＣ５２と内部通信により必要な情報を交換する。Ｈ−ＳＬＣ７２を含むＨ−ＳＬＰ７０は、前記目的ＳＥＴ１００の前記ホームネットワークのＳＬＰである。
【００５７】
図２を参照すると、段階Ｓ３１及びＳ３２の動作は、図１の段階Ｓ１１及びＳ１２の動作と同一であるので、その詳細な説明は省略する。ＲＬＰ  ＳＲＬＩＲメッセージが前記Ｒ−ＳＬＰ３０から受信されると、前記Ｈ−ＳＬＰ７０のＨ−ＳＬＣ７２は、Ｒ−ＳＬＰ３０から受信されたｍｓ−ｉｄに該当する目的ＳＥＴ１００がローミングサービス領域に属するか否かをルーティング情報を利用して確認し、前記目的ＳＥＴ１００がＳＵＰＬ機能をサポートするか否かをＳＥＴルックアップテーブルを利用して確認する（Ｓ３３）。前記Ｈ−ＳＬＣ７２は、前記現在の目的ＳＥＴがローミングサービス領域に属するか否かを判断するためのルーティング情報と、前記現在の目的ＳＥＴがＳＵＰＬ機能をサポートするか否かを判断するためのＳＥＴルックアップテーブルを管理する。
【００５８】
前記目的ＳＥＴ１００がローミングサービス領域に属し、ＳＵＰＬ機能をサポートすると判断される場合、前記Ｈ−ＳＬＣ７２は、前記目的ＳＥＴ１００にＳＵＰＬ  ＩＮＩＴメッセージを送信して目的ＳＥＴ１００とＳＵＰＬ手順を開始し（Ｓ３４）、前記目的ＳＥＴ１００とＴＣＰ接続を設定する。前記ＳＵＰＬ  ＩＮＩＴメッセージは、少なくともＳＵＰＬ手順を開始するためのＳＵＰＬセッションのセッションＩＤ、Ｈ−ＳＬＰ７０のアドレス（Ｈ−ＳＬＰ  ａｄｄｒｅｓｓ）、及び使用される位置追跡方法（ｐｏｓｍｅｔｈｏｄ）パラメータを含む。また、前記段階Ｓ３１で、前記目的ＳＥＴ１００に関するプライバシー機能を確認した後、前記目的ＳＥＴ１００に位置情報に関する通知が必要な場合、通知（ｎｏｔｉｆｉｃａｔｉｏｎ）パラメータを含むことができる。前記目的ＳＥＴ１００は、前記受信したＳＵＰＬ  ＩＮＩＴメッセージに前記通知パラメータが含まれる場合、ユーザにより予め設定されたプライバシー関連規則を検証した後、関連手順を行う。
【００５９】
前記目的ＳＥＴ１００は、ＳＵＰＬ  ＳＴＡＲＴメッセージを前記Ｈ−ＳＬＰ７０に送信して位置測定セッション（ＳＵＰＬセッション）の開始を通知する（Ｓ３５）。前記ＳＵＰＬ  ＳＴＡＲＴメッセージは、少なくとも前記位置測定セッションのＩＤ（ｓｅｓｓｉｏｎ−ｉｄ）、目的ＳＥＴ１００の性能（ＳＥＴ  ｃａｐａｂｉｌｉｔｉｅｓ）（目的ＳＥＴ１００によりサポートされる位置追跡方法に関する性能を示すパラメータ）、ロケーション識別子（ｌｉｄ）（例えば、目的ＳＥＴ１００が属する基地局のＩＤ）、ｓｙｓｔｅｍ  ＩＤ（例えば、目的ＳＥＴ１００にサービスを提供するＢＳＣのＩＤ又はＭＳＣのＩＤ）を含む。
【００６０】
前記Ｈ−ＳＬＣ７２は、前記目的ＳＥＴ１００から受信されたＳＵＰＬ  ＳＴＡＲＴメッセージに含まれるｓｙｓｔｅｍ  ＩＤを確認してＶ−ＳＬＣを判断した後、ＲＬＰ  ＳＳＲＬＩＲメッセージにより前記判断されたＶ−ＳＬＣ５２に前記ＳＵＰＬ  ＳＴＡＲＴメッセージを送信する（Ｓ３６）。前記段階Ｓ３６で、ＲＬＰ  ＳＳＲＬＩＲメッセージは、図１の前記段階Ｓ１５でのＲＬＰ  ＳＳＲＬＩＲメッセージと同一である。
【００６１】
前記Ｖ−ＳＬＰ５０のＶ−ＳＬＣ５２は、該当Ｖ−ＳＰＣ５４との内部初期化により位置測定手順（ＳＵＰＬ  ＰＯＳ手順：位置追跡手順）準備が開始することを通知し、前記ＲＬＰ−ＳＳＲＬＩＲメッセージに含まれる位置測定手順準備のための必要情報を前記Ｖ−ＳＰＣ５４に伝送する。また、前記Ｖ−ＳＰＣ５４は、前記Ｖ−ＳＬＣ５２から受信された情報に基づいて目的ＳＥＴ１００によりサポートされる位置追跡方法を把握し、前記Ｖ−ＳＬＣ５２に前記Ｖ−ＳＰＣ５４のＩＰアドレス及びポート番号を提供する（Ｓ３７）。
【００６２】
その後、前記Ｖ−ＳＬＣ５２は、前記ＲＬＰ−ＳＳＲＬＩＲメッセージに対する応答としてＲＬＰ−ＳＳＲＰ（Ｓｔａｎｄａｒｄ  ＳＵＰＬ  Ｒｏａｍｉｎｇ  Ｐｏｓｉｔｉｏｎ）メッセージを前記Ｈ−ＳＬＣ７２に送信する（Ｓ３８）。前記ＲＬＰ−ＳＳＲＰメッセージは、少なくとも前記Ｖ−ＳＰＣ５４のＩＰアドレス及びポート番号を含む。
【００６３】
次に、前記Ｈ−ＳＬＣ７２は、前記Ｖ−ＳＬＣ５２から受信した前記Ｖ−ＳＰＣ５４のＩＰアドレス及びポート番号、並びに前記目的ＳＥＴ１００とのＴＣＰ接続を解除するためのＴＣＰ接続のｓｅｓｓｉｏｎ−ｉｄなどをＳＵＰＬ  ＲＥＳＰＯＮＳＥメッセージにより伝送する（Ｓ３９）。前記目的ＳＥＴ１００は、前記Ｈ−ＳＬＣ７２と設定されたＴＣＰ接続を含む全てのリソースを解除する。ここで、前記ＳＵＰＬ  ＲＥＳＰＯＮＳＥメッセージは、実質的にＳＵＰＬ  ＥＮＤメッセージの役割を果たし、ＳＵＰＬ  ＥＮＤメッセージに置き換えることができる。結果として、前記ＳＵＰＬ  ＲＥＳＰＯＮＳＥメッセージは、少なくともＶ−ＳＰＣ５４のＩＰアドレス及びポート番号、並びに前記Ｈ−ＳＬＰ７２と目的ＳＥＴ１００間のＴＣＰ接続を解除するためのＳＵＰＬセッションＩＤを含まなければならない。
【００６４】
前記目的ＳＥＴ１００は、前記Ｈ−ＳＬＣ７２から受信したＳＵＰＬ  ＲＥＳＰＯＮＳＥメッセージに含まれるＩＰアドレス及びポート番号に該当するＶ−ＳＰＣ５４を把握し、前記把握されたＶ−ＳＰＣ５４とＴＣＰ接続を設定するための準備を行う（Ｓ４０）。すなわち、前記目的ＳＥＴは、前記ＳＵＰＬ  ＩＮＩＴメッセージを受信すると、現在パケットデータネットワークとデータ接続（ｄａｔａ  ｃｏｎｎｅｃｔｉｏｎ）が設定されているか否かを確認し、データ接続が設定されていない場合は、３ＧＰＰ又は３ＧＰＰ２などのパケットデータネットワークとのデータ接続をセットアップする。
【００６５】
その後、前記目的ＳＥＴ１００は、前記把握されたＶ−ＳＰＣ５４とＴＣＰ接続を設定し、前記Ｖ−ＳＰＣ５４にＳＵＰＬ  ＰＯＳ  ＩＮＩＴメッセージを送信する（Ｓ４１）。前記ＳＵＰＬ  ＰＯＳ  ＩＮＩＴメッセージは、設定されたＳＵＰＬセッションのｓｅｓｓｉｏｎ−ｉｄと前記目的ＳＥＴ１００の属する基地局のＩＤ（ｌｉｄ）を含む。次に、前記目的ＳＥＴ１００の位置を測定するための位置追跡手順が目的ＳＥＴ１００とＶ−ＳＰＣ５４間で開始する。
【００６６】
まず、前記Ｖ−ＳＰＣ５４及び前記Ｖ−ＳＬＣ５２は、互いの内部通信により前記目的ＳＥＴ１００の位置情報を概略的に類推する（Ｓ４２）。前記概略的な目的ＳＥＴ１００の位置情報は、前記目的ＳＥＴ１００から受信されたｌｉｄ、すなわち、基地局のＩＤを利用して類推できる。前記概略的に類推された目的ＳＥＴ１００の位置情報が前記ＳＵＰＬエージェント１０が要求したＱｏＳを満足する場合、前記Ｖ−ＳＰＣ５４は、位置測定手順（ＳＵＰＬ  ＰＯＳ手順）（Ｓ４３）を行わなずに直ちにＳＵＰＬ  ＥＮＤメッセージを前記目的ＳＥＴ１００に送信してＳＵＰＬ手順の終了を通知する（Ｓ４４）。前記ＳＵＰＬ  ＥＮＤメッセージは、前記目的ＳＥＴ１００と前記Ｖ−ＳＰＣ５４間のＴＣＰ接続を解除するためのｓｅｓｓｉｏｎ−ｉｄを含む。
【００６７】
しかし、前記概略的に類推された目的ＳＥＴ１００の位置情報が前記ＱｏＳを満足しない場合、前記Ｖ−ＳＬＣ５２及び前記Ｖ−ＳＰＣ５４は、ＳＵＰＬ  ＰＯＳ手順実行を準備する（Ｓ４２）。前記Ｖ−ＳＰＣ５４は、ＳＵＰＬ  ＰＯＳ手順実行のために前記目的ＳＥＴ１００と連続的にメッセージを交換する。前記Ｖ−ＳＰＣ５４又は前記目的ＳＥＴ１００は、位置追跡のために連続的に交換されたメッセージにより前記目的ＳＥＴ１００の位置を測定する（Ｓ４３）。このような方式で、前記Ｖ−ＳＰＣ５４は、前記目的ＳＥＴ１００の位置情報を取得する。
【００６８】
前記目的ＳＥＴ１００の位置が取得されると、前記Ｖ−ＳＰＣ５４は、ＳＵＰＬ  ＥＮＤメッセージを目的ＳＥＴ１００に送信してＳＵＰＬ手順の終了を通知する（Ｓ４４）。前記ＳＵＰＬ  ＥＮＤメッセージは、前記目的ＳＥＴ１００と前記Ｖ−ＳＰＣ５４間に設定されたＴＣＰ接続を解除するためのセッションＩＤを含む。従って、前記Ｖ−ＳＰＣ５４と前記目的ＳＥＴ１００間のＴＣＰ接続は解除される。また、前記Ｖ−ＳＰＣ５４は、前記Ｖ−ＳＬＣ５２との内部通信により前記Ｖ−ＳＬＣ５２に前記測定された目的ＳＥＴ１００位置情報を伝送する（Ｓ４５）。
【００６９】
その後、前記Ｖ−ＳＬＣ５２は、ＲＬＰ−ＳＳＲＰメッセージを前記Ｈ−ＳＬＣ７２に送信し、前記ＲＬＰ−ＳＳＲＰメッセージは、ＳＵＰＬ  ＥＮＤメッセージ及び前記測定された目的ＳＥＴ１００の位置情報（ｐｏｓｒｅｓｕｌｔ）を含む（Ｓ４６）。
【００７０】
前記Ｈ−ＳＬＣ７２は、前記ＲＬＰ  ＳＲＬＩＲメッセージに対する応答としてＲＬＰ  ＳＲＬＩＡメッセージを前記Ｒ−ＳＬＰ３０に送信して前記測定された目的ＳＥＴ１００の位置情報を伝送し（Ｓ４７）、前記Ｒ−ＳＬＰ３０は、前記ＭＬＰ  ＳＬＩＡメッセージを利用して前記目的ＳＥＴ１００の位置情報をＳＵＰＬエージェント１０に伝送する（Ｓ４８）。
【００７１】
従って、目的ＳＥＴとＶ−ＳＰＣ間の直接接続による目的ＳＥＴの位置測定手順実行において、ネットワークのＳＬＰがＳＵＰＬ手順を開始すると、前記ネットワークのＳＬＰは、目的ＳＥＴとＴＣＰ接続を設定し、前記設定されたＳＵＰＬセッションにより目的ＳＥＴの属するｓｙｓｔｅｍ  ＩＤを受信し、前記ｓｙｓｔｅｍ  ＩＤを利用して該当Ｖ−ＳＬＣを把握し、前記把握されたＶ−ＳＬＣからＶ−ＳＰＣのＩＰアドレス及びポート番号情報を受信し、前記受信されたＶ−ＳＰＣのＩＰアドレス及びポート番号情報を目的ＳＥＴに伝送した後、前記目的ＳＥＴとのＴＣＰ接続を解除する。次に、前記目的ＳＥＴは、前記受信されたＩＰアドレス及びポート番号に該当するＶ−ＳＰＣとＳＵＰＬセッションを直接設定し、前記目的ＳＥＴの位置測定手順が実行されると、前記Ｖ−ＳＰＣは、前記目的ＳＥＴとのＴＣＰ接続を解除する。従って、本発明は、目的ＳＥＴとＨ−ＳＬＣ間のＴＣＰ接続を設定し解除した後、目的ＳＥＴとＶ−ＳＰＣ間のＴＣＰ接続を設定し解除することにより、目的ＳＥＴが２つのＴＣＰ接続を同時に維持する必要がなく、さらに、目的ＳＥＴとＶ−ＳＰＣ間の直接接続により位置追跡手順が実行できる。
【００７２】
図３は、本発明によるネットワークのＳＬＰがＳＵＰＬ手順を開始する場合のＳＵＰＬローミング方法の他の例を示す。
【００７３】
図３を参照すると、前記目的ＳＥＴ１００は、実際位置測定機能を実行できるＶ−ＳＰＣ５４と直接接続を行う。前記目的ＳＥＴ１００及び前記Ｖ−ＳＰＣ５４は、前記目的ＳＥＴ１００の位置測定手順を行う。前記Ｖ−ＳＰＣ５４は、内部通信によりローミング及びリソース管理を行うＶ−ＳＬＣ５２と必要な情報を交換する。
【００７４】
図３を参照すると、前記段階Ｓ５１及びＳ５２は、図２の段階Ｓ３１及びＳ３２と同一であるので、その詳細な説明は省略する。前記Ｒ−ＳＬＰ３０からＲＬＰ  ＳＲＬＩＲメッセージが受信されると、前記Ｈ−ＳＬＣ７２は、前記Ｒ−ＳＬＰ３０から受信されたｍｓ−ｉｄに該当する目的ＳＥＴ１００がローミングサービス領域に属するか否かをルーティング情報を利用して確認し、前記目的ＳＥＴ１００がＳＵＰＬ機能をサポートする否かをＳＥＴルックアップテーブルを利用して確認する（Ｓ５３）。前記Ｈ−ＳＬＣ７２は、目的ＳＥＴ１００がローミングサービス領域に属するか否かを判断するためのルーティング情報と、前記現在の目的ＳＥＴ１００がＳＵＰＬ機能をサポートするか否かを判断するためのＳＥＴルックアップテーブルを管理する。
【００７５】
前記目的ＳＥＴ１００がローミングサービス領域に属し、ＳＵＰＬ機能をサポートすると判断される場合、前記Ｈ−ＳＬＣ７２は、前記ルーティング情報を利用して前記目的ＳＥＴ１００の属するＶ−ＳＬＣ５２を把握し、前記Ｖ−ＳＬＣ５２にＲＬＰ  ＳＳＲＬＩＲメッセージによりＳＵＰＬ  ＳＴＡＲＴメッセージを送信する（Ｓ５４）。前記ＳＵＰＬ  ＳＴＡＲＴメッセージは、ＳＵＰＬセッションのｓｅｓｓｉｏｎ−ｉｄと前記目的ＳＥＴ１００のＩＤ（ｍｓｉｄ）を含む。
【００７６】
前記Ｖ−ＳＬＣ５２は、該当Ｖ−ＳＰＣ５４との内部初期化により位置測定手順（ＳＵＰＬ  ＰＯＳ手順：位置追跡手順）準備が開始することを通知し、前記ＲＬＰ−ＳＳＲＬＩＲメッセージに含まれる位置測定手順準備のための必要情報を前記Ｖ−ＳＰＣ５４に伝送し、前記Ｖ−ＳＰＣ５４は、前記Ｖ−ＳＬＣ５２から受信された情報に基づいて目的ＳＥＴ１００によりサポートされる位置追跡方法を把握し、前記Ｖ−ＳＬＣ５２に前記Ｖ−ＳＰＣ５４のＩＰアドレス及びポート番号を提供する（Ｓ５５）。その後、前記Ｖ−ＳＬＣ５２は、前記ＲＬＰ−ＳＳＲＬＩＲメッセージに対する応答としてＲＬＰ−ＳＳＲＰ（Ｓｔａｎｄａｒｄ  ＳＵＰＬ  Ｒｏａｍｉｎｇ  Ｐｏｓｉｔｉｏｎ）（ＲＬＰ−ＳＳＲＬＩＡ）メッセージをＨ−ＳＬＣ７２に送信する（Ｓ５６）。前記ＲＬＰ−ＳＳＲＰメッセージは、前記Ｖ−ＳＰＣ５４のｓｅｓｓｉｏｎ−ｉｄ及びアドレスを含む。例えば、ＲＬＰ−ＳＳＲＰメッセージは、ｓｅｓｓｉｏｎ−ｉｄ並びに前記Ｖ−ＳＰＣ５４のＩＰアドレス及びポート番号を含む。
【００７７】
その後、前記Ｈ−ＳＬＰ７０は、ＳＵＰＬ  ＩＮＩＴメッセージを前記目的ＳＥＴ１００に送信し、ＳＵＰＬ手順を開始する（Ｓ５７）。前記ＳＵＰＬ  ＩＮＩＴメッセージは、少なくとも、前記Ｖ−ＳＬＣ５２から受信された前記Ｖ−ＳＰＣ５４のＩＰアドレス及びポート番号、ｓｅｓｓｉｏｎ−ｉｄ、並びに使用される位置追跡方法（ｐｏｓｍｅｔｈｏｄ）パラメータを含む。また、目的ＳＥＴ１００のプライバシーのために目的ＳＥＴ１００に位置情報に関する通知が必要な場合、前記ＳＵＰＬ  ＩＮＩＴメッセージは、通知パラメータを含む。
【００７８】
目的ＳＥＴ１００は、前記Ｈ−ＳＬＣ７２から受信したＳＵＰＬ  ＩＮＩＴメッセージに含まれるＩＰアドレス及びポート番号に該当するＶ−ＳＰＣ５４を把握し、前記把握されたＶ−ＳＰＣ５４とＴＣＰ接続を設定するための準備をする（Ｓ５８）。すなわち、前記目的ＳＥＴ１００は、前記ＳＵＰＬ  ＩＮＩＴメッセージを受信した後、パケットデータネットワークとデータ接続が現在設定されているか否かを確認し、データ接続が設定されていない場合、３ＧＰＰ又は３ＧＰＰ２などのパケットデータネットワークとのデータ接続をセットアップする。
【００７９】
次に、前記目的ＳＥＴ１００は、前記把握されたＶ−ＳＰＣ５４とＴＣＰ接続を設定し、前記Ｖ−ＳＰＣ５４にＳＵＰＬ  ＰＯＳ  ＩＮＩＴメッセージを送信する（Ｓ５９）。前記ＳＵＰＬ  ＰＯＳ  ＩＮＩＴメッセージは、設定されたＴＣＰ接続のｓｅｓｓｉｏｎ−ｉｄ、前記目的ＳＥＴ１００の属する基地局のＩＤ（ｌｉｄ）及びＳＥＴ  ｃａｐａｂｉｌｉｅｓ（目的ＳＥＴによりサポートされる位置追跡方法に関する性能を示すパラメータ）を含む。その後、前記目的ＳＥＴ１００の位置を測定するための位置追跡手順が目的ＳＥＴ１００とＶ−ＳＰＣ５４間で開始する。
【００８０】
その後、前記目的ＳＥＴ１００と前記Ｖ−ＳＰＣ５４間の直接ＴＣＰ接続により位置追跡手順を行い、前記ＴＣＰ接続を解除し、測定された目的ＳＥＴ１００の位置情報をＳＵＰＬエージェント１０に伝送する段階（Ｓ６０〜Ｓ６６）が実行されるが、これは、図２に示す段階Ｓ４２〜Ｓ４８と同一であるので、これに関する説明は省略する。
【００８１】
従って、目的ＳＥＴとＶ−ＳＰＣ間の直接接続により目的ＳＥＴの位置測定手順を行う場合、ネットワークのＳＬＰがＳＵＰＬ手順を開始すると、ネットワーク側のＳＬＰ（すなわち、Ｈ−ＳＬＰ及びＨ−ＳＬＣ）は、目的ＳＥＴとＴＣＰ接続を（目的ＳＥＴとＨ−ＳＬＰ間に）設定する代わりに、Ｖ−ＳＬＣにＳＵＰＬ  ＰＯＳ手順準備が開始することを通知する。前記Ｖ−ＳＬＣが内部通信によりＶ−ＳＰＣから受信されたＶ−ＳＰＣのＩＰアドレス及びポート番号情報をＨ−ＳＬＣに提供すると、Ｈ−ＳＬＣは、受信したＶ−ＳＰＣのＩＰアドレス及びポート番号情報を目的ＳＥＴに伝送してＳＵＰＬ手順を開始する。すなわち、図１及び図２の段階Ｓ１３及びＳ３４において記述された前記Ｈ−ＳＬＰと目的ＳＥＴ間の第１ＴＣＰ接続は、図３の例では全く設定されていない。
【００８２】
その後、目的ＳＥＴは、前記受信したＩＰアドレス及びポート番号に該当するＶ−ＳＰＣとＴＣＰ接続を直接設定し、そのＳＵＰＬセッションにおいて目的ＳＥＴの位置測定手順が実行されると、前記Ｖ−ＳＰＣは、前記目的ＳＥＴとのＴＣＰ接続を解除する。
【００８３】
従って、本発明は、Ｈ−ＳＬＣとＶ−ＳＬＣ間のＲＬＰ通信によりＶ−ＳＰＣのアドレス情報を取得し、前記取得されたＶ−ＳＰＣのアドレスをＨ−ＳＬＣから目的ＳＥＴに伝送し、目的ＳＥＴとＶ−ＳＰＣ間のＴＣＰ接続をオープンして解除する。すなわち、目的ＳＥＴが複数のＴＣＰ接続を同時に維持する必要がなく、また、目的ＳＥＴとＶ−ＳＰＣ間の直接接続により位置追跡手順を行うことができる。
【００８４】
図示されてはいないが、図３の例において、ＩＰ接続により目的ＳＥＴとＨ−ＳＬＰ間で特定セキュリティ対策や認証手順が実行できる。
【００８５】
図４は、本発明の一実施形態による目的ＳＥＴがＳＵＰＬ手順を開始する場合のＳＵＰＬローミング方法を示す。
【００８６】
図４を参照すると、前記目的ＳＥＴ１００が位置情報を要求する場合、目的ＳＥＴ１００は、ＳＵＰＬ手順を開始するためのＳＵＰＬ  ＳＴＡＲＴメッセージをＨ−ＳＬＰ７０に送信する（Ｓ７１）。前記ＳＵＰＬ  ＳＴＡＲＴメッセージは、ＳＵＰＬセッションＩＤ（ｓｅｓｓｉｏｎ−ｉｄ）、目的ＳＥＴ１００の性能（ＳＥＴ  ｃａｐａｂｉｌｉｔｉｅｓ）（目的ＳＥＴによりサポートされる位置追跡方法に関する性能を示すパラメータ）、ロケーション識別子（ｌｉｄ）、ｓｙｓｔｅｍ  ＩＤ、ＱｏＳ、目的ＳＥＴ１００のＩＤ（ｍｓｉｄ）などを含む。
【００８７】
ここで、目的ＳＥＴ１００とＨ−ＳＬＰ７０間に前記ＳＵＰＬセッションＩＤに該当するＴＣＰ接続が設定される。
【００８８】
前記Ｈ−ＳＬＰ７０は、前記目的ＳＥＴ１００から送信された前記ＳＵＰＬ  ＳＴＡＲＴメッセージに含まれるｓｙｓｔｅｍ  ＩＤを確認して目的ＳＥＴ１００のためのＶ−ＳＬＰを判断した後、前記判断されたＶ−ＳＬＰ５０にＲＬＰ  ＳＳＲＬＩＲメッセージにより前記ＳＵＰＬ  ＳＴＡＲＴメッセージを送信する（Ｓ７２）。すなわち、前記Ｈ−ＳＬＰ７０は、ＲＬＰ  ＳＳＲＬＩＲメッセージを生成して前記Ｖ−ＳＬＰ５０に送信し、前記ＲＬＰ  ＳＳＲＬＩＲメッセージは、ｓｅｓｓｉｏｏｎ−ｉｄ、ｍｓｉｄ、ＳＵＰＬ  ＳＴＡＲＴメッセージ（ｓｕｐｌ  ｓｔａｒｔ）などを含む。
【００８９】
前記Ｖ−ＳＬＰ５０は、前記目的ＳＥＴ１００によりサポートされる位置追跡方法を前記ＲＬＰ  ＳＳＲＬＩＲメッセージを検査して把握し、前記ＲＬＰ  ＳＳＲＬＩＲメッセージの応答メッセージとしてＲＬＰ  ＳＳＲＰ（ＲＬＰ  ＳＳＲＬＩＡ）メッセージを前記Ｈ−ＳＬＰ７０に送信する（Ｓ７３）。前記ＲＬＰ  ＳＳＲＰメッセージは、Ｖ−ＳＬＰ５０のＩＰアドレス及びポート番号、並びにｓｅｓｓｉｏｎ−ｉｄなどを含む。
【００９０】
前記Ｈ−ＳＬＰ７０は、ＳＵＰＬ  ＲＥＳＰＯＮＳＥメッセージに前記ＳＵＰＬセッションＩＤ（ｓｅｓｓｉｏｎ−ｉｄ）、前記Ｖ−ＳＬＰ５０から受信されたＶ−ＳＬＰ５０のＩＰアドレス及びポート番号情報を含め、前記ＳＵＰＬ  ＲＥＳＰＯＮＳＥメッセージを目的ＳＥＴ１００に送信する（Ｓ７４）。
【００９１】
その後、目的ＳＥＴ１００は、Ｈ−ＳＬＰ７０とのＴＣＰ接続を含む全てのリソースを解除する。ここで、前記ＳＵＰＬ  ＲＥＳＰＯＮＳＥメッセージは、実質的にＳＵＰＬ  ＥＮＤメッセージの役割を果たし、ＳＵＰＬ  ＥＮＤメッセージに置き換えることができる。Ｈ−ＳＬＰ７０と目的ＳＥＴ１００間のＴＣＰ接続を解除するためにＨ−ＳＬＰ７０により目的ＳＥＴ１００に送信されるＳＵＰＬ  ＥＮＤメッセージの場合、前記ＳＵＰＬ  ＥＮＤメッセージは、少なくともＶ−ＳＬＰ５０のＩＰアドレス及びポート番号、並びに前記ＳＵＰＬセッションのＩＤを含まなければならない。
【００９２】
また、目的ＳＥＴ１００は、前記ＩＰアドレス及び前記ポート番号に該当するＶ−ＳＬＰを把握した後、前記把握されたＶ−ＳＬＰ５０にＳＵＰＬ  ＰＯＳ  ＩＮＩＴメッセージを送信する（Ｓ７５）。ここで、目的ＳＥＴ１００とＶ−ＳＬＰ５０間にはＴＣＰ接続が設定され、目的ＳＥＴ１００の位置を測定するための実際の位置追跡手順が開始される。前記ＳＵＰＬ  ＰＯＳ  ＩＮＩＴメッセージは、ｓｅｓｓｉｏｎ−ｉｄ、ｌｉｄ、ＳＥＴ  ｃａｐａｂｉｌｉｔｉｅｓなどを含む。
【００９３】
その後、目的ＳＥＴ１００及びＶ−ＳＬＰ５０は、目的ＳＥＴ１００の位置情報を測定するために連続的にメッセージを交換する。前記Ｖ−ＳＬＰ５０又は目的ＳＥＴ１００は、位置追跡のための連続的に交換されたメッセージにより目的ＳＥＴ１００の位置を測定する（Ｓ７６）。結果として、前記Ｖ−ＳＬＰ５０は、前記目的ＳＥＴ１００の前記測定された位置情報を取得する。
【００９４】
目的ＳＥＴ１００の位置が取得されると、前記Ｖ−ＳＬＰ５０は、前記Ｈ−ＳＬＰ７０にＲＬＰ  ＳＳＲＰメッセージを送信し、前記測定された目的ＳＥＴ１００の位置情報（ｐｏｓｒｅｓｕｌｔ）を伝送する（Ｓ７７）。また、Ｖ−ＳＬＰ５０は、ＳＵＰＬ  ＥＮＤメッセージを目的ＳＥＴ１００に送信してＳＵＰＬ手順の終了を通知する（Ｓ７８）。ここで、前記段階Ｓ７７及びＳ７８の実行順序は考慮しない。前記ＳＵＰＬ  ＥＮＤメッセージは、前記目的ＳＥＴ１００とＶ−ＳＬＰ５０間に設定されたＴＣＰ接続を解除するためのセッションＩＤを含む。従って、目的ＳＥＴ１００は、Ｈ−ＳＬＰ７０とオープンされたＴＣＰ接続を解除してＳＵＰＬ手順を終了する。
【００９５】
従って、図４のＳＵＰＬローミング方法において、目的ＳＥＴがＳＵＰＬ手順を開始する場合、前記目的ＳＥＴは、Ｈ−ＳＬＰとのＴＣＰ接続を設定し、Ｈ−ＳＬＰからＶ−ＳＬＰのＩＰアドレス及びポート番号を受信した後、前記Ｈ−ＳＬＰとのＴＣＰ接続を解除する。次に、前記受信されたＩＰアドレス及びポート番号に該当するＶ−ＳＬＰと前記目的ＳＥＴ間に他のＴＣＰ接続を設定し、目的ＳＥＴの位置を測定した後、前記Ｖ−ＳＬＰが前記目的ＳＥＴとのＴＣＰ接続を解除することにより、目的ＳＥＴは同時に２つのＴＣＰ接続を維持しなくてもＳＵＰＬサービスを受信できる。
【００９６】
図５は、目的ＳＥＴ１００がＳＵＰＬサービスを要求する場合の本発明による図４のＳＵＰＬローミング方法の一例を具体的に示す。
【００９７】
図５を参照すると、目的ＳＥＴ１００は、実際的な位置測定機能を実行するＶ−ＳＰＣ５４と直接接続を設定し、前記目的ＳＥＴ１００及び前記Ｖ−ＳＰＣ５４は、目的ＳＥＴ１００の位置測定手順を行い、前記Ｖ−ＳＰＣ５４は、ローミング及びリソース管理機能を実行するＶ−ＳＬＣ５２と内部通信により必要な情報を交換する。
【００９８】
目的ＳＥＴ１００は、ＳＵＰＬ手順を開始するためのＳＵＰＬ  ＳＴＡＲＴメッセージを送信する前に、パケットデータネットワークとのデータ接続が設定されているか否かを確認し、データ接続が設定されていない場合、３ＧＰＰ又は３ＧＰＰ２などのパケットデータネットワークとデータ接続をセットアップする（Ｓ８１）。
【００９９】
その後、目的ＳＥＴ１００は、Ｈ−ＳＬＣ７２にＳＵＰＬ  ＳＴＡＲＴメッセージを送信してＳＵＰＬ手順を開始する（Ｓ８２）。前記ＳＵＰＬ  ＳＴＡＲＴメッセージは、少なくともＳＵＰＬ手順を開始するためのＳＵＰＬセッションのセッションＩＤ、目的ＳＥＴ１００の性能（ＳＥＴ  ｃａｐａｂｉｌｉｔｉｅｓ）（目的ＳＥＴ１００によりサポートされる位置追跡方法に関する性能を示すパラメータ）、ロケーション識別子（ｌｉｄ）、ｓｙｓｔｅｍ  ＩＤ、ＱｏＳを含む。ここで、前記ＳＵＰＬセッションＩＤに対応するＴＣＰ接続が目的ＳＥＴ１００とＨ−ＳＬＰ７０間に設定される。
【０１００】
Ｈ−ＳＬＣ７２は、各目的ＳＥＴに関するルーティング情報を管理するが、前記ルーティング情報を利用して前記現在目的ＳＥＴ１００がローミングサービス領域（訪問ネットワーク領域）に位置するか否かを確認する（Ｓ８３）。前記目的ＳＥＴ１００がローミングサービス領域に位置する場合、前記Ｈ−ＳＬＣ７２は、前記受信したＳＵＰＬ  ＳＴＡＲＴメッセージに含まれるｓｙｓｔｅｍ  ＩＤに基づいてＶ−ＳＬＣ５２にＲＬＰ  ＳＳＲＬＩＲメッセージを送信する（Ｓ８４）。前記ＲＬＰ  ＳＳＲＬＩＲメッセージは、少なくとも目的ＳＥＴ１００のＩＤ（ｍｓｉｄ）、ｓｅｓｓｉｏｎ−ｉｄ、及びＳＵＰＬ  ＳＴＡＲＴメッセージを含む。
【０１０１】
Ｖ−ＳＬＣ５２は、内部初期化によりＳＵＰＬ  ＰＯＳ手順（位置追跡手順）準備が開始することを通知し、前記ＲＬＰ−ＳＳＲＬＩＲメッセージに含まれる位置測定手順準備のために必要な情報を前記Ｖ−ＳＰＣ５４に伝送する。前記Ｖ−ＳＰＣ５４は、前記Ｖ−ＳＬＣ５２から受信された情報に基づいて目的ＳＥＴ１００によりサポートされる位置追跡方法を把握し、前記Ｖ−ＳＰＣ５４のＩＰアドレス及びポート番号を前記Ｖ−ＳＬＣ５２に提供する（Ｓ８５）。
【０１０２】
その後、Ｖ−ＳＬＣ５２は、前記ＲＬＰ−ＳＳＲＬＩＲメッセージの応答としてＲＬＰ−ＳＳＲＰ（ＲＬＰ−ＳＳＲＬＩＡ）メッセージを前記Ｈ−ＳＬＣ７２に送信する（Ｓ８６）。前記ＲＬＰ−ＳＳＲＰメッセージは、少なくとも前記Ｖ−ＳＰＣ５４のＩＰアドレス及びポート番号を含む。
【０１０３】
Ｈ−ＳＬＣ７２は、前記Ｖ−ＳＬＣ５２から提供された前記Ｖ−ＳＰＣ５４のＩＰアドレス及びポート番号、並びに目的ＳＥＴ１００とのＴＣＰ接続解除のためのＴＣＰ接続のｓｅｓｓｉｏｎ−ｉｄなどをＳＵＰＬ  ＲＥＳＰＯＮＳＥメッセージにより目的ＳＥＴ１００に伝送する（Ｓ８７）。その後、目的ＳＥＴ１００は、Ｈ−ＳＬＣ７２とのＴＣＰ接続のための全てのリソースを解除し、Ｈ−ＳＬＣ７２とＴＣＰ接続を解除する。
【０１０４】
その後、前記目的ＳＥＴ１００は、前記受信されたＩＰアドレス及びポート番号に該当するＶ−ＳＰＣ５４とＴＣＰ接続を設定し、前記Ｖ−ＳＰＣ５４にＳＵＰＬ  ＰＯＳ  ＩＮＩＴメッセージを送信する（Ｓ８８）。前記ＳＵＰＬ  ＰＯＳ  ＩＮＩＴメッセージは、設定されたＴＣＰ接続のｓｅｓｓｉｏｎ−ｉｄ及び前記目的ＳＥＴ１００が位置する基地局ＩＤ（ｌｉｄ）などを含む。
【０１０５】
次に、目的ＳＥＴ１００の位置を測定するための位置追跡手順が目的ＳＥＴ１００とＶ−ＳＰＣ５４間で開始され、段階Ｓ８９〜Ｓ９３が実行される。段階Ｓ８９〜Ｓ９３の動作は、図２の段階Ｓ４２〜Ｓ４６の動作と同様の方法で実行されるので、これに関する説明は省略する。
【０１０６】
従って、目的ＳＥＴとＶ−ＳＰＣ間の直接接続により目的ＳＥＴの位置測定手順を行う場合、目的ＳＥＴがＳＵＰＬ手順を開始すると、前記目的ＳＥＴは、Ｈ−ＳＬＣとＴＣＰ接続を設定し、Ｈ−ＳＬＣは、Ｖ−ＳＬＣからＶ−ＳＰＣのアドレスを受信し、前記設定されたＴＣＰ接続により目的ＳＥＴに前記Ｖ−ＳＰＣのアドレスを伝送した後、目的ＳＥＴとＨ−ＳＬＣ間の前記設定されたＴＣＰ接続を解除する。次に、目的ＳＥＴは、前記受信されたＶ−ＳＰＣのアドレスに該当するＶ−ＳＰＣと直接ＴＣＰ接続を設定し、そのＴＣＰ接続により目的ＳＥＴの位置測定手順が実行されると、Ｖ−ＳＰＣは、前記目的ＳＥＴとのＴＣＰ接続を解除する。従って、本発明は、目的ＳＥＴとＨ−ＳＬＣ間に第１ＴＣＰ接続を設定し解除した後、目的ＳＥＴとＶ−ＳＰＣ間に第２ＴＣＰ接続を設定し解除することにより、目的ＳＥＴが２つのＴＣＰ接続を同時に維持する必要がなく、また、目的ＳＥＴとＶ−ＳＰＣ間の直接接続により位置測定手順を行うことができる。
【０１０７】
以上、本発明の実施形態により構成要素間で交換される各メッセージ（ＳＵＰＬ  ＳＴＡＲＴ、ＲＬＰ  ＳＳＲＬＩＲ、ＲＬＰ  ＳＳＲＰ、ＳＵＰＬ  ＲＥＳＰＯＮＳＥ、ＳＵＰＬ  ＩＮＩＴ、ＳＵＰＬ  ＰＯＳ  ＩＮＩＴなど）のコンテンツの全体又は一部を図示して説明した。しかし、これらのメッセージは、具体的な言及がなくても他の情報やデータを含むことができることを理解できるであろう。
【０１０８】
本発明の方法の処理段階は、コンピュータプログラムコード／指示事項を実行できる１つ以上のコンピュータプロセッサにより実現される。そのコンピュータプログラムコードは、目的ＳＥＴ、Ｈ−ＳＬＰ、Ｖ−ＳＬＰ、Ｒ−ＳＬＰなどのシステムのいずれかの構成要素で提供されるか、又はこれに関連した１つ以上のコンピュータ可読媒体により具体化でき、公知のコンピュータプログラム言語で作成される。
【０１０９】
前述した実施形態と利点は本発明を制限するものでなく、単なる例示にすぎない。本発明は、他の形態の装置にも容易に適用できる。本発明の説明は特許請求の範囲を制限するものでなく、単なる説明の便宜のためのものである。当該技術分野における通常の知識を有する者であれば多様な変更、変形、及び均等な他の実施例が可能であることを理解できるであろう。請求項において、ミーンズプラスファンクションクレームは列挙された機能を実行するものであり、ここに記載された構造、構造的同等物だけでなく均等な構造をも含む。
【図面の簡単な説明】
【０１１０】
本発明の理解を容易にするために添付されたものであり、同一の参照番号は、同一の構成要素を示す。
【図１】本発明によるネットワークのＳＬＰがＳＵＰＬ手順を開始する場合のＳＵＰＬローミング方法を示す図である。
【図２】本発明による図１のＳＵＰＬローミング方法の一例を具体的に示す図である。
【図３】本発明によるネットワークのＳＬＰがＳＵＰＬ手順を開始する場合のＳＵＰＬローミング方法の他の例を示す図である。
【図４】本発明の一実施形態による目的ＳＥＴがＳＵＰＬ手順を開始する場合のＳＵＰＬローミング方法を示す図である。
【図５】本発明による図４のＳＵＰＬローミング方法の一例を具体的に示す図である。
【図１】
2008512928.tif 000003
【図２】
2008512928.tif 000004
【図３】
2008512928.tif 000005
【図４】
2008512928.tif 000006
【図５】
2008512928.tif 000007
【国際調査報告】
2008512928.tif 000008
2008512928.tif 000009